(57)【要約】  ワイヤレス通信のための、方法、装置、およびコンピュータプログラム製品は、マルチメディアブロードキャスト／マルチキャストサービスを提供する現在のセル内で動作するユーザ機器が、異なる動作特徴を有する隣接セルの間を見分けることを可能にする。隣接セルの存在は、ユーザ機器が第１のセル内で動作している間に識別され、ユーザ機器によって保持される情報に基づいて、隣接セルが現在のセル内で提供されるサービスとは異なるサービスを提供するかどうかを決定する。ユーザ機器は、より良い、または異なるサービスを取得するために、隣接セルに移動しうる。
2015523837.tif 000002
【特許請求の範囲】
【請求項１】
ワイヤレス通信の方法であって、
マルチメディアブロードキャスト／マルチキャストサービス（ＭＢＭＳ）を提供する第１のセル内で動作している間に、隣接セルの存在を識別することと、
前記隣接セルを特徴付ける、ユーザ機器（ＵＥ）によって保持される情報に基づいて、前記隣接セルが前記第１のセル内で提供される前記ＭＢＭＳサービスとは異なるＭＢＭＳサービスを提供するか、同じＭＢＭＳサービスを提供するかを、前記ＵＥにおいて決定することと、
前記隣接セルを特徴付ける、前記ＵＥによって保持される情報に基づいて、前記隣接セルが会場内サービスを提供するか、ブーストされたユニキャストサービスを提供するかを、前記ＵＥにおいて決定することと、
前記ＵＥが前記第１のセル内でＭＢＭＳサービスを受信している時に、前記隣接セルが、前記会場内サービスあるいは前記第１のセル内で同様に提供されるブロードキャストまたはマルチキャストサービスを提供すると決定された場合、前記隣接セルに移動することと、
前記ＵＥが前記第１のセル内でブロードキャストまたはマルチキャストサービスを受信している時に、前記隣接セルが、前記ブーストされたユニキャストサービスあるいは前記第１のセル内で提供されるものとは異なるブロードキャストまたはマルチキャストサービスを提供すると決定された場合、前記隣接セルに移動することと、
を備える、方法。
【請求項２】
前記第１のセルは、マクロセルおよび１つまたは複数のスモールセルを含む異種ネットワークを備える、請求項１に記載の方法。
【請求項３】
少なくとも前記隣接セルは、前記１つまたは複数のスモールセルに含まれる、請求項２に記載の方法。
【請求項４】
前記ＵＥが前記第１のセル内で動作している間に、システム情報ブロック（ＳＩＢ）を受信することをさらに備え、ここで、前記ＳＩＢは、１つまたは複数のセルに関連付けられたサービスエリアアイデンティティ（ＳＡＩ）を含む、請求項１に記載の方法。
【請求項５】
前記ＳＩＢは、前記隣接セルの物理セルアイデンティティ（ＰＣＩ）を含み、前記ＵＥは、前記隣接セルが、前記ＰＣＩに基づいて、会場内サービスを提供するか、ブーストされたユニキャストサービスを提供するかを決定する、
請求項４に記載の方法。
【請求項６】
前記ＰＣＩは、会場内サービスを提供するセルのためにネットワークオペレータによって確保された第１の複数のＰＣＩのうちの１つであるか、またはブーストされたユニキャストサービスを提供するセルによって使用される第２の複数のＰＣＩのうちの１つである、請求項５に記載の方法。
【請求項７】
前記ＰＣＩは、会場内サービスを提供するセルのために確保される複数の予め定義されたＰＣＩのうちの１つである、請求項５に記載の方法。
【請求項８】
前記ＳＩＢは、前記隣接セルに関連付けられたＰＣＩに前記ＳＡＩをマッピングする情報を備える、請求項４に記載の方法。
【請求項９】
前記隣接セルに関連付けられた前記ＰＣＩに前記ＳＡＩをマッピングする前記情報は、前記隣接セルの特徴に基づいて生成される、請求項８に記載の方法。
【請求項１０】
前記隣接セルに関連付けられた前記ＰＣＩに前記ＳＡＩをマッピングする前記情報は、前記隣接セルによって報告された前記隣接セルの特徴に基づいて、ネットワークエンティティによって提供される、請求項８に記載の方法。
【請求項１１】
前記隣接セルに関連付けられた前記ＰＣＩに前記ＳＡＩをマッピングする前記情報は、前記第１のセルの基地局によって提供される、請求項８に記載の方法。
【請求項１２】
前記ＳＩＢは、前記第１のセルに関連付けられた周波数、前記隣接セルに関連付けられた周波数、および少なくとも１つのＳＡＩを識別する情報を備える、請求項４に記載の方法。
【請求項１３】
前記ＳＩＢは、前記隣接セルのＳＡＩを識別し、前記隣接セルの前記ＳＡＩは、会場内サービスに対応する、請求項１２に記載の方法。
【請求項１４】
前記第１のセルが前記会場内サービスを提供しない時に、前記隣接セルが前記会場内サービスを提供すると決定された場合、前記隣接セルに移動することをさらに備える、請求項１に記載の方法。
【請求項１５】
前記第１のセルが前記会場内サービスを提供しない時に、前記隣接セルに移動することは、
ネットワークオペレータまたはユーザの予め定義された好みに基づいて、前記会場内サービスを選択するかどうかを決定することと、
前記ＵＥが前記会場内サービスを選択した場合に、前記隣接セルに移動すること
を含む、請求項１４に記載の方法。
【請求項１６】
前記ＵＥが会場内サービスを選択した場合、前記第１のセル内で利用可能な全国向けのサービスを終了させることをさらに備える、請求項１５に記載の方法。
【請求項１７】
前記隣接セルが、前記第１のセル内で提供される前記ＭＢＭＳサービスとは異なる前記ＭＢＭＳサービスを提供すると決定された場合、前記隣接セルに移動することをさらに備える、請求項１に記載の方法。
【請求項１８】
前記隣接セルが、前記第１のセル内で提供される前記ＭＢＭＳサービスとは異なる前記ＭＢＭＳサービスを提供すると決定された場合、前記隣接セルに移動することは、
ネットワークオペレータまたはユーザの予め定義された好みに基づいて、前記ＭＢＭＳサービスを選択するかどうかを決定することと、
前記ＵＥが前記ＭＢＭＳサービスを選択した場合に、前記隣接セルに移動すること
を含む、請求項１７に記載の方法。
【請求項１９】
前記ＵＥが、前記第１のセル内で提供される前記ＭＢＭＳサービスとは異なる、前記隣接セルによって提供されるＭＢＭＳサービスを選択した場合、前記第１のセル内で利用可能なサービスを終了させることをさらに備える、請求項１８に記載の方法。
【請求項２０】
ワイヤレス通信のための装置であって、
マルチメディアブロードキャスト／マルチキャストサービス（ＭＢＭＳ）を提供する第１のセル内で動作している間に、隣接セルの存在を識別するための手段と、
前記隣接セルを特徴付ける、ユーザ機器（ＵＥ）によって保持される情報に基づいて、前記隣接セルが前記第１のセル内で提供される前記ＭＢＭＳサービスとは異なるＭＢＭＳサービスを提供するか、同じＭＢＭＳサービスを提供するかを、前記ＵＥにおいて決定するための手段と、
前記隣接セルを特徴付ける、前記ＵＥによって保持される情報に基づいて、前記隣接セルが会場内サービスを提供するか、ブーストされたユニキャストサービスを提供するかを、前記ＵＥにおいて決定するための手段と、
前記隣接セルに移動するための手段と、
を備え、
前記ＵＥが前記第１のセル内でＭＢＭＳサービスを受信しており、前記隣接セルが前記会場内サービスあるいは前記第１のセル内で同様に提供されるブロードキャストまたはマルチキャストサービスを提供すると決定された場合、前記ＵＥは、前記隣接セルに移動させられ、前記ＵＥが前記第１のセル内でブロードキャストまたはマルチキャストサービスを受信しており、前記隣接セルが、前記ブーストされたユニキャストサービスあるいは前記第１のセル内で提供されるものとは異なるブロードキャストまたはマルチキャストサービスを提供すると決定された場合、前記ＵＥは、前記隣接セルに移動させられる、装置。
【請求項２１】
前記第１のセルは、マクロセルおよび１つまたは複数のスモールセルを含む異種ネットワークを備える、請求項２０に記載の装置。
【請求項２２】
少なくとも前記隣接セルは、前記１つまたは複数のスモールセルに含まれる、請求項２１に記載の装置。
【請求項２３】
前記ＵＥが前記第１のセル内で動作している間に、システム情報ブロック（ＳＩＢ）を受信するための手段をさらに備え、ここで、前記ＳＩＢは、１つまたは複数のセルに関連付けられたサービスエリアアイデンティティ（ＳＡＩ）を含む、請求項２０に記載の装置。
【請求項２４】
前記ＳＩＢは、前記隣接セルの物理セルアイデンティティ（ＰＣＩ）を含み、前記ＵＥは、前記隣接セルが、前記ＰＣＩに基づいて、会場内サービスを提供するか、ブーストされたユニキャストサービスを提供するかを決定する、請求項２３に記載の装置。
【請求項２５】
前記ＰＣＩは、会場内サービスを提供するセルのためにネットワークオペレータによって確保された第１の複数のＰＣＩのうちの１つであるか、またはブーストされたユニキャストサービスを提供するセルによって使用される第２の複数のＰＣＩのうちの１つである、請求項２４に記載の装置。
【請求項２６】
前記ＰＣＩは、会場内サービスを提供するセルのために確保される複数の予め定義されたＰＣＩのうちの１つである、請求項２４に記載の装置。
【請求項２７】
前記ＳＩＢは、前記隣接セルに関連付けられたＰＣＩに前記ＳＡＩをマッピングする情報を備える、請求項２３に記載の装置。
【請求項２８】
前記隣接セルに関連付けられた前記ＰＣＩに前記ＳＡＩをマッピングする前記情報は、前記隣接セルの特徴に基づいて生成される、請求項２７に記載の装置。
【請求項２９】
前記隣接セルに関連付けられた前記ＰＣＩに前記ＳＡＩをマッピングする前記情報は、前記隣接セルによって報告された前記隣接セルの特徴に基づいて、ネットワークエンティティによって提供される、請求項２７に記載の装置。
【請求項３０】
前記隣接セルに関連付けられた前記ＰＣＩに前記ＳＡＩをマッピングする前記情報は、前記第１のセルの基地局によって提供される、請求項２７に記載の装置。
【請求項３１】
前記ＳＩＢは、前記第１のセルに関連付けられた周波数、前記隣接セルに関連付けられた周波数、および少なくとも１つのＳＡＩを識別する情報を備える、請求項２３に記載の装置。
【請求項３２】
前記ＳＩＢは、前記隣接セルのＳＡＩを識別し、前記隣接セルの前記ＳＡＩは、会場内サービスに対応する、請求項３１に記載の装置。
【請求項３３】
前記第１のセルが前記会場内サービスを提供しない時に、前記隣接セルが前記会場内サービスを提供すると決定された場合、前記隣接セルに移動するための前記手段は、前記ＵＥを前記隣接セルに移動させる、請求項２０に記載の装置。
【請求項３４】
前記隣接セルに移動するための前記手段は、ネットワークオペレータまたはユーザの予め定義された好みに基づいて、前記会場内サービスを選択するかどうかを決定し、前記ＵＥが前記会場内サービスを選択した場合に前記隣接セルに移動する、請求項３３に記載の装置。
【請求項３５】
前記隣接セルに移動するための前記手段は、前記ＵＥが会場内サービスを選択した場合、前記第１のセル内で利用可能な全国向けのサービスを終了させる、請求項３４に記載の装置。
【請求項３６】
前記隣接セルに移動するための前記手段は、前記隣接セルが、前記第１のセル内で提供される前記ＭＢＭＳサービスとは異なる前記ＭＢＭＳサービスを提供すると決定された場合、前記ＵＥを前記隣接セルに移動させる、請求項２０に記載の装置。
【請求項３７】
前記隣接セルに移動するための前記手段は、ネットワークオペレータまたはユーザの予め定義された好みに基づいて、前記ＭＢＭＳサービスを選択するかどうかを決定し、前記ＵＥが前記ＭＢＭＳサービスを選択した場合に前記隣接セルに移動する、請求項３６に記載の装置。
【請求項３８】
前記隣接セルに移動するための前記手段は、前記ＵＥが、前記第１のセル内で提供される前記ＭＢＭＳサービスとは異なる前記ＭＢＭＳサービスを選択した場合に、前記第１のセル内で利用可能な全国向けのサービスを終了させる、請求項３７に記載の装置。
【請求項３９】
ワイヤレス通信のための装置であって、
マルチメディアブロードキャスト／マルチキャストサービス（ＭＢＭＳ）を提供する第１のセル内で動作している間に、隣接セルの存在を識別し、
前記隣接セルを特徴付ける、ユーザ機器（ＵＥ）によって保持される情報に基づいて、前記隣接セルが前記第１のセル内で提供される前記ＭＢＭＳサービスとは異なるＭＢＭＳサービスを提供するか、同じＭＢＭＳサービスを提供するかを、前記ＵＥにおいて決定し、
前記隣接セルを特徴付ける、前記ＵＥによって保持される情報に基づいて、前記隣接セルが会場内サービスを提供するか、ブーストされたユニキャストサービスを提供するかを、前記ＵＥにおいて決定し、
前記ＵＥが前記第１のセル内でＭＢＭＳサービスを受信している時に、前記隣接セルが前記会場内サービスあるいは前記第１のセル内で同様に提供されるブロードキャストまたはマルチキャストサービスを提供すると決定された場合、前記ＵＥを前記隣接セルに移動させ、
前記ＵＥが前記第１のセル内でブロードキャストまたはマルチキャストサービスを受信している時に、前記隣接セルが、前記ブーストされたユニキャストサービスあるいは前記第１のセル内で提供されるものとは異なるブロードキャストまたはマルチキャストサービスを提供すると決定された場合、前記ＵＥを前記隣接セルに移動させる
ように構成される、処理システム
を備える、装置。
【請求項４０】
コンピュータ読み取り可能な媒体を備えるコンピュータプログラム製品であって、前記コンピュータ読み取り可能な媒体は、
マルチメディアブロードキャスト／マルチキャストサービス（ＭＢＭＳ）を提供する第１のセル内で動作している間に、隣接セルの存在を識別し、
前記隣接セルを特徴付ける、ユーザ機器（ＵＥ）によって保持される情報に基づいて、前記隣接セルが前記第１のセル内で提供される前記ＭＢＭＳサービスとは異なるＭＢＭＳサービスを提供するか、同じＭＢＭＳサービスを提供するかを、前記ＵＥにおいて決定し、
前記隣接セルを特徴付ける、前記ＵＥによって保持される情報に基づいて、前記隣接セルが会場内サービスを提供するか、ブーストされたユニキャストサービスを提供するかを、前記ＵＥにおいて決定し、
前記ＵＥが前記第１のセル内でＭＢＭＳサービスを受信している時に、前記隣接セルが前記会場内サービスあるいは前記第１のセル内で同様に提供されるブロードキャストまたはマルチキャストサービスを提供すると決定された場合、前記隣接セルに移動し、
前記ＵＥが前記第１のセル内でブロードキャストまたはマルチキャストサービスを受信している時に、前記隣接セルが、前記ブーストされたユニキャストサービスあるいは前記第１のセル内で提供されるものとは異なるブロードキャストまたはマルチキャストサービスを提供すると決定された場合、前記隣接セルに移動する
ためのコードを備える、コンピュータプログラム製品。
【請求項４１】
ワイヤレス通信の方法であって、
ユーザ機器（ＵＥ）が、マルチメディアブロードキャスト／マルチキャストサービス（ＭＢＭＳ）を提供する第１のセル内で動作している間に、隣接セルの存在を識別することと、
前記隣接セルから受信された物理セル識別子（ＰＣＩ）、および前記第１のセルからのシステム情報ブロック（ＳＩＢ）において受信された前記ＰＣＩに関連する情報に基づいて、前記隣接セルによって提供される１つまたは複数のサービスを識別することと、
１つまたは複数の基準に基づいて、前記ＵＥを前記隣接セルに移動させるどうかを決定すること
を備える、方法。
【請求項４２】
前記ＰＣＩに関連する前記情報は、複数の隣接セルに対応するＰＣＩと、前記ＭＢＭＳの１つまたは複数のサービスエリアアイデンティティ（ＳＡＩ）との間のマッピングを備える、請求項４１に記載の方法。
【請求項４３】
前記隣接セルが、前記第１のセル内で提供される前記ＭＢＭＳサービスとは異なるＭＢＭＳサービスを提供するか、同じＭＢＭＳサービスを提供するかに基づいて、前記ＵＥは、前記隣接セルに移動させられる、請求項４２に記載の方法。
【請求項４３】
前記隣接セルが、ブーストされたユニキャストサービスを提供すると決定された場合、前記ＵＥは、前記隣接セルに移動させられる、請求項４２に記載の方法。
【請求項４４】
前記隣接セルが、前記第１のセル内で提供されるブロードキャストとは異なるブロードキャストを提供すると決定された場合、前記ＵＥは、前記隣接セルに移動させられる、請求項４２に記載の方法。
【請求項４５】
前記隣接セルが、前記第１のセル内で提供されるマルチキャストサービスとは異なるマルチキャストサービスを提供すると決定された場合、前記ＵＥは、前記隣接セルに移動させられる、請求項４２に記載の方法。
【請求項４６】
ワイヤレス通信のための装置であって、
ユーザ機器（ＵＥ）が、マルチメディアブロードキャスト／マルチキャストサービス（ＭＢＭＳ）を提供する第１のセル内で動作している間に、隣接セルの存在を識別することと、
前記隣接セルから受信された物理セル識別子（ＰＣＩ）、および前記第１のセルからのシステム情報ブロック（ＳＩＢ）において受信された前記ＰＣＩに関連する情報に基づいて、前記隣接セルによって提供される１つまたは複数のサービスを識別することと、
１つまたは複数の基準に基づいて、前記ＵＥを前記隣接セルに移動させるかどうかを決定すること
を備える、装置。
【請求項４７】
前記ＰＣＩに関連する前記情報は、複数の隣接セルに対応するＰＣＩと、前記ＭＢＭＳの１つまたは複数のサービスエリアアイデンティティ（ＳＡＩ）との間のマッピングを備える、請求項４８に記載の装置。
【請求項４８】
前記隣接セルが、前記第１のセル内で提供される前記ＭＢＭＳサービスとは異なるＭＢＭＳサービスを提供するか、同じＭＢＭＳサービスを提供するかに基づいて、前記ＵＥは、前記隣接セルに移動させられる、請求項４８に記載の装置。
【請求項４９】
前記隣接セルが、ブーストされたユニキャストサービスを提供すると決定された場合、前記ＵＥは、前記隣接セルに移動させられる、請求項４８に記載の装置。
【請求項５０】
前記隣接セルが、前記第１のセル内で提供されるブロードキャストとは異なるブロードキャストを提供すると決定された場合、前記ＵＥは、前記隣接セルに移動させられる、請求項４８に記載の装置。
【請求項５１】
前記隣接セルが、前記第１のセル内で提供されるマルチキャストサービスとは異なるマルチキャストサービスを提供すると決定された場合、前記ＵＥは、前記隣接セルに移動させられる、請求項４８に記載の装置。
【請求項５２】
処理システムを備える、ワイヤレス通信のための装置であって、
前記処理システムは、
ユーザ機器（ＵＥ）が、マルチメディアブロードキャスト／マルチキャストサービス（ＭＢＭＳ）を提供する第１のセル内で動作している間に、隣接セルの存在を識別し、
前記隣接セルから受信された物理セル識別子（ＰＣＩ）、および前記第１のセルからのシステム情報ブロック（ＳＩＢ）において受信された前記ＰＣＩに関連する情報に基づいて、前記隣接セルによって提供される１つまたは複数のサービスを識別し、
１つまたは複数の基準に基づいて、前記ＵＥを前記隣接セルに移動させるかどうかを決定する
ように構成される、装置。
【請求項５３】
コンピュータ読み取り可能な媒体を備えるコンピュータプログラム製品であって、
前記コンピュータ読み取り可能な媒体は、
ユーザ機器（ＵＥ）が、マルチメディアブロードキャスト／マルチキャストサービス（ＭＢＭＳ）を提供する第１のセル内で動作している間に、隣接セルの存在を識別し、
前記隣接セルから受信された物理セル識別子（ＰＣＩ）、および前記第１のセルからのシステム情報ブロック（ＳＩＢ）において受信された前記ＰＣＩに関連する情報に基づいて、前記隣接セルによって提供される１つまたは複数のサービスを識別し、
１つまたは複数の基準に基づいて、前記ＵＥを前記隣接セルに移動させるかどうかを決定する
ためのコードを備える、コンピュータプログラム製品。
【発明の詳細な説明】
【関連出願の相互参照】
【０００１】
[0001]  本願は、２０１２年８月２日に出願された、「MBMS SUPPORT IN HETEROGENEOUS NETWORK AND IN-VENUE」と題された、米国仮出願番号第６１／６７９，０４９号、および２０１３年７月３１日に出願された、「MBMS SUPPORT IN HETEROGENEOUS NETWORK AND IN-VENUE」と題された、米国特許出願第１３／９５６，１１９号の利益を主張し、それらの全内容は、参照により本明細書に明示的に組み込まれている。
【技術分野】
【０００２】
[0002]  本開示は、一般に、通信システムに関し、より具体的には、ブロードキャスト、マルチキャスト、およびユニキャストサービスを提供するワイヤレスシステムに関する。
【背景技術】
【０００３】
[0003]  ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソース（例えば、帯域幅、送信電力）を共有することによって複数のユーザとの通信をサポートすることができる多元接続技術を採用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なるワイヤレスデバイスに、都市レベル、国レベル、地域レベルだけでなく、世界的なレベルでの通信を可能にさせる、共通のプロトコルを提供するために、様々な電気通信規格に採用されている。台頭してきた電気通信規格の例は、ロングタームエボリューション（ＬＴＥ）である。ＬＴＥは、第３世代パートナーシッププロジェクト（３ＧＰＰ）によって公表されたユニバーサルモバイル電気通信システム（ＵＭＴＳ）のモバイル規格を強化したもの（enhancements）のセットである。それは、スペクトル効率を改善すること、コストを下げること、サービスを向上させること、新たなスペクトルを利用すること、およびダウンリンク（ＤＬ）にＯＦＤＭＡを、アップリンク（ＵＬ）にＳＣ−ＦＤＭＡを使用し、多入力多出力（ＭＩＭＯ）アンテナ技術を使用して、より適切に他のオープン規格と統合することによって、モバイルブロードバンドインターネットアクセスをより適切にサポートするように設計されている。しかしながら、モバイルブロードバンドアクセスに対する需要が増加し続けるのに伴い、ＬＴＥ技術にはさらなる改良を求める必要性が存在する。望ましくは、これらの改良は、これらの技術を用いる電気通信規格および他の多元接続技術に適用可能であるべきである。
【発明の概要】
【０００５】
[0005]  本開示の１つの態様では、方法、コンピュータプログラム製品、および装置は、マルチメディアブロードキャスト／マルチキャストサービス（ＭＢＭＳ）を提供するネットワーク内で動作するユーザ機器（ＵＥ）が、異なる動作特徴を有する隣接セル間を見分けるのを可能にすることが提供される。例えば、ＵＥが、対応するサービスを受信するために隣接セルに切り替えることを必要とするかどうかを、ＵＥが決定できるように、ＵＥは、スモールセルがブロードキャストサービスまたはブーストされた（boosted）ユニキャストサービスを提供するかどうかを決定しうる。
【０００６】
[0006]  本開示の１つの態様では、方法は、ＭＢＭＳを提供する第１のセル内で動作している間に、隣接セルの存在を識別することと、隣接セルを特徴付ける、ＵＥによって保持される情報に基づいて、隣接セルが第１のセル内で提供されるＭＢＭＳサービスとは異なるＭＢＭＳサービスを提供するか、同じＭＢＭＳサービスを提供するかを、ＵＥにおいて決定することと、を含むことを提供される。方法はさらに、隣接セルを特徴付ける、ＵＥによって保持される情報に基づいて、隣接セルが会場内サービス（in-venue service）を提供するか、ブーストされたユニキャストサービスを提供するかを、ＵＥにおいて決定することと、ＵＥが第１のセル内でＭＢＭＳサービスを受信している時に、隣接セルが会場内サービスあるいは第１のセル内で同様に提供されるブロードキャストまたはマルチキャストサービスを提供すると決定された場合、またはＵＥが第１のセル内でブロードキャストまたはマルチキャストサービスを受信しており、隣接セルがブーストされたユニキャストサービスあるいは第１のセル内で提供されるものとは異なるブロードキャストまたはマルチキャストサービスを提供すると決定された場合、隣接セルに移動することを含む。
【０００７】
[0007]  本開示の１つの態様では、第１のセルは、マクロセルおよび１つまたは複数のスモールセルを含む異種ネットワークを備える。少なくとも１つの隣接セルは、１つまたは複数のスモールセルに含まれうる。
【０００８】
[0008]  本開示の１つの態様では、方法は、ＵＥが第１のセル内で動作している間に、システム情報ブロック（ＳＩＢ）を受信すること含む。ＳＩＢは、１つまたは複数のセルに関連づけられたサービスエリアアイデンティティ（ＳＡＩ）を含みうる。ＳＩＢは、隣接セルの物理セルアイデンティティ（ＰＣＩ）を含みうる。ＵＥは、隣接セルが、ＰＣＩに基づいて、異なるＭＢＭＳサービス（例えば、会場内サービス）、同じＭＢＭＳサービス、またはブーストされたユニキャストサービスを提供するかどうかを決定しうる。ＰＣＩは、会場内サービスを提供するセルのためにネットワークオペレータによって確保された第１の複数のＰＣＩのうちの１つであるか、またはブーストされたユニキャストサービスを提供するセルによって使用される第２の複数のＰＣＩのうちの１つでありうる。ＰＣＩは、会場内サービスを提供するセルのために確保される複数の予め定義されたＰＣＩのうちの１つでありうる。
【０００９】
[0009]  本開示の１つの態様では、ＳＩＢが、隣接セルに関連付けられたＰＣＩのリストにＳＡＩをマッピングする情報を備える。隣接セルに関連付けられたＰＣＩにＳＡＩをマッピングする情報は、隣接セルの特徴に基づいて生成されうる。隣接セルに関連付けられたＰＣＩにＳＡＩをマッピングする情報は、隣接セルによって報告された、隣接セルの特徴に基づいて、ネットワークエンティティによって提供されうる。隣接セルに関連付けられたＰＣＩにＳＡＩをマッピングする情報は、第１のセルの基地局によって提供されうる。
【００１０】
[0010]  本開示の１つの態様では、ＳＩＢは、第１のセルに関連付けられた周波数、隣接セルに関連付けられた周波数、および少なくとも１つのＳＡＩを識別する情報を備える。ＳＩＢは、隣接セルのＳＡＩを識別しうる。隣接セルのＳＡＩは、会場内サービスに対応しうる。
【００１１】
[0011]  本開示の一態様では、方法は、第１のセルが会場内サービスを提供しない時に、隣接セルが会場内サービスを提供すると決定された場合、隣接セルに移動することを含む。第１のセルが会場内サービスを提供しない時に隣接セルに移動することは、ＵＥのユーザに会場内サービスの利用可能性を指示することと、ユーザが会場内サービスを選択した場合に、隣接セルに移動することを含みうる。方法は、ユーザが会場内サービスを選択した場合、第１のセル内で利用可能な全国向けのサービス（national service）を終了させること（terminating）を含みうる。
【００１２】
[0012]  本開示の１つの態様において、方法は、隣接セルが第１のセル内で提供されるＭＢＭＳサービスとは異なるＭＢＭＳサービスを提供すると決定された場合、隣接セルに移動することを含む。ＵＥは、ＵＥのユーザに隣接セルによって提供されたＭＢＭＳサービスの利用可能性を指示し、ユーザがＭＢＭＳサービスのうちの１つを選択した場合、隣接セルに移動しうる。方法は、ユーザが第１のセル内で提供されるＭＢＭＳサービスとは異なる、隣接セルにおけるＭＢＭＳサービスを選択した場合、第１のセル内で利用可能なサービスを終了させることを含みうる。
【図面の簡単な説明】
【００１３】
【図１】図１は、ネットワークアーキテクチャの例を示す図である。
【図２】図２は、アクセスネットワークの例を示す図である。
【図３】図３は、ＬＴＥにおけるＤＬフレーム構造の例を示す図である。
【図４】図４は、ＬＴＥにおけるＵＬフレーム構造の例を示す図である。
【図５】図５は、ユーザおよび制御プレーンのための無線プロトコルアーキテクチャの例を示す図である。
【図６】図６は、アクセスネットワークにおける発展型ノードＢおよびユーザ機器の例を示す図である。
【図７】図７は、異種ネットワークにおいて範囲の拡張されたセルラ領域を示す図である。
【図８Ａ】図８Ａは、マルチキャストブロードキャスト単一周波数ネットワークにおける発展型マルチメディアブロードキャストマルチキャストサービスチャネル構成の例を示す図である。
【図８Ｂ】図８Ｂは、マルチキャストチャネルスケジューリング情報メディアアクセス制御の制御エレメントのフォーマットを示す図である。
【図９】図９は、移動性（mobility）と、会場内およびブーストされたマルチキャストサービス（boosted multicast service）とに関する特定の態様を示す。
【図１０】図１０は、異種ネットワーク内および会場内のＭＢＭＳに関する特定の態様を示す。
【図１１】図１１は、異種ネットワーク内および会場内のＭＢＭＳに関する特定の態様を示す。
【図１２】図１２は、ワイヤレス通信の方法のフローチャートである。
【図１３】図１３は、例示的な装置における異なるモジュール／手段／コンポーネント間のデータフローを示す概念的データフロー図である。
【図１４】図１４は、処理システムを用いる装置のためのハードウェアの実装の例を示す図である。
【発明を実施するための形態】
【００１４】
[0028]  添付の図面に関連して以下に述べられる詳細な説明は、様々な構成の説明として意図されたものであり、本明細書で説明される概念が実装されうる、唯一の構成を表すことを意図したものではない。詳細な説明は、様々な概念の完全な理解を提供する目的のために、具体的な詳細を含む。しかしながら、これらの概念がこれらの具体的な詳細なしに実装されうるということは、当業者に対して明らかであろう。いくつかの例では、そのような概念をあいまいにすることを避けるために、周知の構造およびコンポーネントが、ブロック図の形式で示される。
【００１５】
[0029]  電気通信システムのいくつかの態様が、ここで様々な装置および方法に関連して表される。これらの装置および方法は、以下の詳細な説明において説明され、添付の図面において、様々なブロック、モジュール、コンポーネント、回路、ステップ、処理、アルゴリズムなど（集合的に「エレメント」と呼ばれる）によって示される。これらのエレメントは、電子ハードウェア、コンピュータソフトウェア、またはこれらの任意の組み合わせを使用して実装されうる。そのようなエレメントがハードウェアとして実装されるかソフトウェアとして実装されるかは、システム全体に課された設計の制約および特定のアプリケーションに依存する。
【００１６】
[0030]  例として、エレメント、またはエレメントの任意の一部、またはエレメントの任意の組み合わせは、１つまたは複数のプロセッサを含む「処理システム」を用いて実装されうる。プロセッサの例は、本開示を通して説明される様々な機能を行うように構成された、マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ）、ステートマシン、ゲートロジック、離散ハードウェア回路、および他の適切なハードウェアを含む。処理システムにおける１つまたは複数のプロセッサは、ソフトウェアを実行することができる。ソフトウェアは、ソフトウェア、ファームウェア、ミドルウェア、マイクロコード、ハードウェア記述言語と呼ばれる場合も、それ以外の名称で呼ばれる場合も、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するものと広く解釈されるだろう。
【００１７】
[0031]  したがって、１つまたは複数の例示的な実施形態では、説明された機能は、ハードウェア、ソフトウェア、ファームウェア、またはこれらの任意の組み合わせで実装されうる。ソフトウェアで実装される場合、この機能は、コンピュータ読み取り可能な媒体上の１つまたは複数の命令またはコードとして記憶されるか、または符号化されうる。コンピュータ読み取り可能な媒体は、コンピュータ記憶媒体を含む。記憶媒体は、コンピュータによってアクセスされうるあらゆる利用可能な媒体でありうる。限定ではなく例として、このようなコンピュータ読み取り可能な媒体は、ＲＡＭ、ＲＯＭ、ＥＥＰＲＯＭ、ＣＤ−ＲＯＭまたは他の光ディスク記憶装置、磁気ディスク記憶装置またはその他の磁気記憶デバイス、あるいは命令またはデータ構造の形式で所望のプログラムコードを搬送または記憶するように使用され、かつコンピュータによってアクセスされうる任意の他の媒体を備えうる。本明細書で使用される、ディスク（Disk）およびディスク（disc）は、コンパクトディスク（ＣＤ）、レーザーディスク（登録商標）、光学ディスク、デジタル多用途ディスク（ＤＶＤ）、並びにフロッピー（登録商標）ディスクを含み、ディスク（disk）は通常、データを磁気的に再生し、ディスク（disc）は、データをレーザで光学的に再生する。上記の組み合わせもまた、コンピュータ読み取り可能な媒体の範囲内に含まれるべきである。
【００１８】
[0032]  図１は、ＬＴＥネットワークアーキテクチャ１００を示す図である。ＬＴＥネットワークアーキテクチャ１００は、発展型パケットシステム（ＥＰＳ：Evolved Packet System）１００と呼ばれうる。ＥＰＳ １００は、１つまたは複数のユーザ機器（ＵＥ）１０２と、発展型ＵＭＴＳ地上ラジオアクセスネットワーク（Ｅ−ＵＴＲＡＮ）１０４と、発展型パケットコア（ＥＰＣ）１１０と、ホーム加入者サーバ（ＨＳＳ）１２０と、オペレータのインターネットプロトコル（ＩＰ）サービス１２２とを含みうる。ＥＰＳは、他のアクセスネットワークと相互接続しうるが、簡潔化のために、それらのエンティティ／インターフェースは図示されない。示されているように、ＥＰＳは、パケット交換サービスを提供するが、当業者が容易に理解するように、本開示全体を通して提示される様々な概念は、回路交換サービスを提供するネットワークに拡張されうる。
【００１９】
[0033]  Ｅ−ＵＴＲＡＮは、発展型ノードＢ（ｅＮＢ）１０６および他のｅＮＢ １０８を含む。ｅＮＢ １０６は、ＵＥ １０２に対してユーザおよび制御プレーンプロトコルの終了を提供する。ｅＮＢ １０６は、バックホール（すなわち、Ｘ２インターフェース）を介して、他のｅＮＢ １０８に接続されうる。ｅＮＢ １０６はまた、基地局、ノードＢ、アクセスポイント、基地トランシーバ局、無線基地局、無線トランシーバ、トランシーバ機能、ベーシックサービスセット（ＢＳＳ）、拡張サービスセット（ＥＳＳ）、または何らかの他の適した専門用語として呼ばれうる。ｅＮＢ １０６は、ＵＥ １０２のためのＥＰＣ １１０へのアクセスポイントを提供する。ＵＥ １０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（例えば、ＭＰ３プレイヤ）、カメラ、ゲーム機、タブレット、または任意の他の同様に機能するデバイスを含む。ＵＥ １０２はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語としても呼ばれうる。
【００２０】
[0034]  ｅＮＢ １０６は、ＥＰＣ １１０に接続される。ＥＰＣ １１０は、モビリティ管理エンティティ（ＭＭＥ）１１２、他のＭＭＥ１１４、サービングゲートウェイ１１６、マルチメディアブロードキャストマルチキャストサービス（ＭＢＭＳ）ゲートウェイ１２４、ブロードキャストマルチキャストサービスセンタ（ＢＭ−ＳＣ）１２６、およびパケットデータネットワーク（ＰＤＮ）ゲートウェイ１１８を含みうる。ＭＭＥ１１２は、ＵＥ １０２とＥＰＣ １１０との間のシグナリングを処理する制御ノードである。概して、ＭＭＥ１１２は、ベアラおよび接続管理を提供する。全てのユーザＩＰパケットは、それ自体がＰＤＮゲートウェイ１１８に接続されたサービングゲートウェイ１１６を通って転送される。ＰＤＮゲートウェイ１１８は、ＵＥ ＩＰアドレス割り当て、並びに他の機能を提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ）、およびＰＳストリーミングサービス（ＰＳＳ）を含みうる。ＢＭ−ＳＣ１２６は、ＭＢＭＳユーザサービスプロビジョニング（provisioning）および配信のための機能を提供しうる。ＢＭ−ＳＣ１２６は、コンテンツプロバイダＭＢＭＳ送信のためのエントリポイントとして働きかけ（serve）、ＰＬＭＮ内のＭＢＭＳベアラサービスを認証および開始するために使用され、ＭＢＭＳ送信をスケジュールおよび配信するために使用されうる。ＭＢＭＳゲートウェイ１２４は、特定のサービスをブロードキャストするマルチキャストブロードキャスト単一周波数ネットワーク（ＭＢＳＦＮ）エリアに属するｅＮＢ（例えば、１０６、１０８）にＭＢＭＳトラフィックを分布させるために使用され、セッション管理（スタート／ストップ）およびｅＭＢＭＳ関連充電情報（eMBMS related charging information）を集めることを担当しうる。
【００２１】
[0035]  図２は、ＬＴＥネットワークアーキテクチャにおけるアクセスネットワーク２００の例を示す図である。この例では、アクセスネットワーク２００が、多数のセルラ領域（セル）２０２に分割されている。１つまたは複数のより低い電力クラスのｅＮＢ ２０８は、セル２０２のうちの１つまたは複数と重複するセルラ領域２１０を有しうる。より低い電力クラスのｅＮＢ ２０８は、フェムトセル（例えば、ホームｅＮＢ（ＨｅＮＢ））、ピコセル、マイクロセル、または遠隔無線ヘッド（ＲＲＨ：remote radio head）でありうる。マクロｅＮＢ ２０４は、それぞれ、各セル２０２を指定され（assigned）、セル２０２内の全てのＵＥ ２０６のためのＥＰＣ １１０へのアクセスポイントを提供するように構成される。アクセスネットワーク２００のこの例には集中制御コントローラが存在しないが、代替の構成では、集中制御コントローラが使用されうる。ｅＮＢ ２０４は、無線ベアラ制御、アドミッション制御、モビリティ制御、スケジューリング、セキュリティ、およびサービングゲートウェイ１１６への接続性を含む、全ての無線に関連する機能を担当する。ｅＮＢは、１つまたは複数（例えば、３つ）のセル（セクタとも呼ばれる）をサポートしうる。「セル」という用語は、ｅＮＢの最も小さいカバレッジエリアを意味し、並びに／もしくは、ｅＮＢサブシステムの役割（serving）は、特定のカバレッジエリアである。さらに、用語「ｅＮＢ」、「基地局」および「セル」は、本明細書で交換可能に使用されうる。
【００２２】
[0036]  アクセスネットワーク２００によって用いられる変調および多元接続スキームは、展開されている特定の電気通信規格に依存して異なりうる。ＬＴＥアプリケーションにおいて、周波数分割多重（ＦＤＤ）および時分割多重（ＴＤＤ）の両方をサポートするために、ＯＦＤＭはＤＬ上で使用され、ＳＣ−ＦＤＭＡはＵＬ上で使用される。以下に続く詳細な説明から当業者が容易に理解するように、本明細書で表される様々な概念は、ＬＴＥアプリケーションにうまく適合される。しかしながら、これらの概念は、他の変調及び多元接続技法を用いる他の電気通信規格に容易に拡張されうる。例として、これらの概念は、エボリューションデータオプティマイズド（ＥＶ−ＤＯ）またはウルトラモバイルブロードバンド（ＵＭＢ）に拡張されうる。ＥＶ−ＤＯおよびＵＭＢは、ＣＤＭＡ ２０００ファミリー規格の一部として、第３世代パートナーシッププロジェクト２（３ＧＰＰ ２）によって公表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形を用いるユニバーサル地上無線アクセス（ＵＴＲＡ）、ＴＤＭＡを用いるモバイル通信のためのグローバルシステム（ＧＳＭ（登録商標））、ＯＦＤＭＡを用いる発展型ＵＴＲＡ（Ｅ−ＵＴＲＡ）、ＩＥＥＥ８０２.１１（Ｗｉ−Ｆｉ）、ＩＥＥＥ８０２.１６（ＷｉＭＡＸ）、ＩＥＥＥ８０２.２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰの団体からの文書において説明される。ＣＤＭＡ ２０００およびＵＭＢは、３ＧＰＰ ２の団体からの文書において説明される。用いられる実際のワイヤレス通信規格および多元接続技術は、システムに課された全体的な設計制約および特定のアプリケーションに依存するだろう。
【００２３】
[0037]  ｅＮＢ ２０４は、ＭＩＭＯ技術をサポートする複数のアンテナを有しうる。ＭＩＭＯ技術の使用は、ｅＮＢ ２０４が、空間多重化、ビームフォーミング、および送信ダイバーシティをサポートするために空間領域を利用することを可能にする。空間多重化は、同じ周波数上で同時に異なるデータのストリームを送信するために使用されうる。それらのデータストリームは、データレートを増加させるために単一のＵＥ２０６に、または全体的なシステムキャパシティ（capacity）を増加させるために複数のＵＥ２０６に、送信されうる。これは、各データストリームを空間的にプリコーディングし（つまり、振幅及び位相のスケーリングを適用し）、その後ＤＬ上で複数の送信アンテナを通じて各々空間的にプリコーディングされたストリームを送信することによって達成される。空間的にプリコーディングされたデータストリームは、異なる空間シグネチャとともに（１つまたは複数の）ＵＥ ２０６に到達し、それは、その（１つまたは複数の）ＵＥ ２０６の各々が、そのＵＥ ２０６に宛てられた１つまたは複数のデータストリームを復元することを可能にする。ＵＬでは、各ＵＥ ２０６は、空間的にプリコーディングされたデータストリームを送信し、それは、ｅＮＢ ２０４が各々空間的にプリコーディングされたデータストリームのソースを識別することを可能にする。
【００２４】
[0038]  空間多重化は一般に、チャネル状況が良好な場合に使用される。チャネル状況があまり好ましくない場合には、ビームフォーミングが使用され、１つまたは複数の方向に送信エネルギーを集中させうる。これは、複数のアンテナによる送信のためにデータを空間的にプリコーディングすることによって、達成されうる。セルの端で良好なカバレッジを達成するために、単一のストリームのビームフォーミング送信が送信ダイバーシティと組み合わせて使用されうる。
【００２５】
[0039]  以下の詳細な説明では、アクセスネットワークの様々な態様は、ＤＬ上でＯＦＤＭをサポートするＭＩＭＯシステムに関連して説明されるだろう。ＯＦＤＭは、ＯＦＤＭシンボル内の多数のサブキャリアにわたってデータを変調する拡散スペクトル技術である。これらのサブキャリアは、正確な周波数で間隔があけられている（are spaced apart）。間隔を空けることは、受信機がサブキャリアからデータを復元することを可能にする「直交性」を提供する。時間領域では、ＯＦＤＭシンボル間干渉を抑制するために、各ＯＦＤＭシンボルにガードインターバル（guard interval）（たとえば、サイクリックプリフィックス）が追加されうる。ＵＬは、高いピーク対平均電力比（ＰＡＰＲ）を補償するために、ＤＦＴ拡散ＯＦＤＭ信号の形式でＳＣ−ＦＤＭＡを使用しうる。
【００２６】
[0040]  図３は、ＬＴＥにおけるＤＬフレーム構造の例を示す図３００である。フレーム（１０ｍｓ）が、１０個の等しいサイズのサブフレームに分割されうる。各サブフレームは、２つの連続するタイムスロットを含みうる。リソースグリッド（resource grid）が２つのタイムスロットを表すために使用され、各タイムスロットは、リソースブロックを含みうる。リソースグリッドは、複数のリソースエレメントに分割される。ＬＴＥでは、リソースブロックは、周波数領域における１２つの連続するサブキャリアと、各ＯＦＤＭシンボルにおける通常のサイクリックプリフィックスでは、時間領域における７つの連続するＯＦＤＭシンボルとを含み、すなわち、８４個のリソースエレメントを含む。拡張されたサイクリックプリフィックスでは、リソースブロックは、時間領域において６つの連続するＯＦＤＭシンボルを含み、７２個のリソースエレメントを含む。Ｒ３０２、３０４として示される、リソースエレメントのいくつかは、ＤＬ基準信号（ＤＬ−ＲＳ）を含む。ＤＬ−ＲＳは、セル固有のＲＳ（ＣＲＳ）（しばしば共通ＲＳとも呼ばれる）３０２と、ＵＥ固有のＲＳ（ＵＥ−ＲＳ）３０４とを含む。ＵＥ−ＲＳ３０４は、対応する物理ＤＬ共有チャネル（ＰＤＳＣＨ）がマッピングされたリソースブロックのみで送信される。各リソースエレメントによって搬送されるビット数は、変調スキームに依存する。したがって、ＵＥが受信するリソースブロックが多いほど、また、変調スキームが高度であるほど、そのＵＥのためのデータレートはより高くなる。
【００２７】
[0041]  図４は、ＬＴＥにおけるＤＬフレーム構造の例を示す図４００である。ＵＬのために利用可能なリソースブロックは、データ部と制御部とに分けられうる。制御部は、システム帯域幅の両端に形成され、構造可能なサイズを有しうる。制御部のリソースブロックは、制御情報の送信のためにＵＥに指定されうる。データ部は、制御部に含まれないすべてのリソースブロックを含みうる。ＵＬフレーム構造は、近接する（contiguous）サブキャリアを含むデータ部をもたらし、それは、単一のＵＥがデータ部内の近接するサブキャリアのすべてを指定されることを可能にしうる。
【００２８】
[0042]  ＵＥは、ｅＮＢに制御情報を送信するために、制御部におけるリソースブロック４１０ａ、４１０ｂを指定されうる。このＵＥはまた、ｅＮＢにデータを送信するために、データ部においてリソースブロック４２０ａ、４２０ｂを指定されうる。ＵＥは、制御部内の指定されたリソースブロックにおいて、物理ＵＬ制御チャネル（ＰＵＣＣＨ）で、制御情報を送信しうる。ＵＥは、データ部内の指定されたリソースブロックにおいて、物理ＵＬ共有チャネル（ＰＵＳＣＨ）で、データのみ、またはデータと制御情報の両方を送信しうる。ＵＬ送信は、１サブフレームの両スロットにわたる（span）ことができ、周波数にわたってホッピング（hop）しうる。
【００２９】
[0043]  リソースブロックのセットは、物理ランダムアクセスチャネル（ＰＲＡＣＨ：physical random access channel）４３０において、初期システムアクセスを行い、ＵＬの同期を達成するために使用されうる。ＰＲＡＣＨ４３０は、ランダムシーケンスを搬送し、任意のＵＬデータ／シグナリングを搬送することはできない。各ランダムアクセスプリアンブルは、連続する６個のリソースブロックに対応する帯域幅を占有する。始めの周波数は、ネットワークによって規定される。すなわち、ランダムアクセスプリアンブルの送信は、特定の時間および周波数リソースに制限される。ＰＲＡＣＨについてホッピングする周波数はない。ＰＲＡＣＨの試みは、単一のサブフレーム（１ ｍｓ）において、またはいくつかの近接するサブフレームのシーケンスにおいて搬送され、ＵＥは、１フレーム（１０ ｍｓ）ごとに１つのみのＰＲＡＣＨの試みを行いうる。
【００３０】
[0044]  図５は、ＬＴＥにおけるユーザおよび制御プレーンのための無線プロトコルアーキテクチャの例を示す図５００である。ＵＥおよびｅＮＢのための無線プロトコルアーキテクチャは、レイヤ１、レイヤ２、およびレイヤ３の３つのレイヤで示される。レイヤ１（Ｌ１レイヤ）は、最下位のレイヤであり、様々な物理レイヤの信号処理機能を実装する。Ｌ１レイヤは、本明細書では物理レイヤ５０６と呼ばれるだろう。レイヤ２（Ｌ２レイヤ）５０８は、物理レイヤ５０６よりも上位であり、物理レイヤ５０６を介したＵＥとｅＮＢとの間のリンクを担当する。
【００３１】
[0045]  ユーザプレーンでは、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ:packet data convergence protocol）５１４サブレイヤを含み、それらは、ネットワーク側のｅＮＢで終端する（are terminated）。図示されないが、ＵＥは、ネットワーク側のＰＤＮゲートウェイ１１８で終端するネットワークレイヤ（例えば、ＩＰレイヤ）、および接続の他端（たとえば、遠端のＵＥ（far end UE）、サーバなど）で終端するアプリケーションレイヤを含む、Ｌ２レイヤ５０８よりも上の、いくつかの上位レイヤを有しうる。
【００３２】
[0046]  ＰＤＣＰサブレイヤ５１４は、異なる無線ベアラと論理チャネルとの間での多重化を提供する。ＰＤＣＰサブレイヤ５１４はまた、無線送信のオーバーヘッドを低減するために、上位レイヤのデータパケットのヘッダの圧縮、それらのデータパケットを暗号化することによるセキュリティ、およびｅＮＢ間でのＵＥのハンドオーバーのサポートを提供する。ＲＬＣサブレイヤ５１２は、上位レイヤのデータパケットのセグメンテーションおよびリアセンブリ、損失データパケットの再送、およびハイブリッド自動再送要求（ＨＡＲＱ）による、順序が乱れた受信を補償するためのデータパケットの並び替えを提供する。ＭＡＣサブレイヤ５１０は、論理チャネルとトランスポートチャネルとの間の多重化を提供する。ＭＡＣサブレイヤ５１０はまた、ＵＥ間の１つのセルにおける様々な無線リソース（たとえば、リソースブロック）の割り当てを担当する。ＭＡＣサブレイヤ５１０はまた、ＨＡＲＱ動作を担当する。
【００３３】
[0047]  制御プレーンにおいて、ＵＥおよびｅノードＢのための無線プロトコルアーキテクチャは、制御プレーンではヘッダ圧縮機能がないという点を除き、物理レイヤ５０６およびＬ２レイヤ５０８の場合と実質的に同一である。制御プレーンはまた、レイヤ３（Ｌ３レイヤ）における無線リソース制御（ＲＲＣ）サブレイヤ５１６を含む。ＲＲＣサブレイヤ５１６は、無線リソース（例えば、無線ベアラ）を得ることと、ｅＮＢとＵＥとの間でＲＲＣシグナリングを使用して下位レイヤを構成することとを担当する。
【００３４】
[0048]  図６は、アクセスネットワークにおいてＵＥ ６５０と通信するｅＮＢ ６１０のブロック図である。ＤＬにおいて、コアネットワークから、上位レイヤパケットが、コントローラ／プロセッサ６７５に提供される。コントローラ／プロセッサ６７５は、Ｌ２レイヤの機能を実装する。ＤＬにおいて、コントローラ／プロセッサ６７５は、ヘッダの圧縮、暗号化、パケットのセグメンテーションおよび並び替え、論理チャネルとトランスポートチャネルとの間での多重化、様々な優先順位メトリックに基づいたＵＥ ６５０に対する無線リソースの割り当てを提供する。コントローラ／プロセッサ６７５はまた、ＨＡＲＱ動作、損失パケットの再送、ＵＥ ６５０へのシグナリングを担当する。
【００３５】
[0049]  送信（ＴＸ）プロセッサ６１６は、Ｌ１レイヤ（すなわち、物理レイヤ）のための様々な信号処理機能を実装する。信号処理機能は、ＵＥ ６５０における前方誤り訂正（ＦＥＣ）を容易にするようにコーディングおよびインターリーブすること、並びに様々な変調スキーム（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーション（signal constellations）にマッピングすることを含む。コーディングおよび変調されたシンボルは次に、並行なストリームへと分けられる。各ストリームは次に、ＯＦＤＭサブキャリアにマッピングされ、時間領域および／または周波数領域において基準信号（たとえば、パイロット）とともに多重化され、そして次に、時間領域のＯＦＤＭシンボルストリームを搬送する物理チャネルを生成するために、逆高速フーリエ変換（ＩＦＦＴ）を使用してともに組み合わせられる。ＯＦＤＭストリームは、複数の空間ストリームを生成するために、空間的にプリコーディングされる。チャネル推定器６７４からのチャネル推定値が、コーディングおよび変調スキームを決定するために、並びに空間処理のために、使用されうる。チャネル推定値は、ＵＥ ６５０によって送信された基準信号および／またはチャネル状況のフィードバックから導出されうる。それぞれの空間ストリームは次に、別個の送信機６１８ ＴＸを介して異なるアンテナ６２０に提供されうる。各送信機６１８ ＴＸは、ＲＦキャリアを、送信のためのそれぞれの空間ストリームで変調することができる。
【００３６】
[0050]  ＵＥ ６５０において、各受信機６５４ ＲＸは、そのそれぞれのアンテナ６５２を通して信号を受信する。各受信機６５４ ＲＸは、ＲＦキャリア上に変調された情報を復元し、受信（ＲＸ）プロセッサ６５６にその情報を提供する。ＲＸプロセッサ６５６は、Ｌ１レイヤの様々な信号処理機能を実装する。ＲＸプロセッサ６５６は、ＵＥ ６５０に宛てられた任意の空間ストリームを復元するために、その情報に対し空間処理を行いうる。複数の空間ストリームがＵＥ ６５０に宛てられる場合、それらは、ＲＸプロセッサ６５６により単一のＯＦＤＭシンボルストリームに組み合わせられうる。ＲＸプロセッサ６５６は次に、高速フーリエ変換（ＦＦＴ）を使用して、そのＯＦＤＭシンボルストリームを時間領域から周波数領域へと変換する。周波数領域信号は、ＯＦＤＭ信号の各サブキャリアに対する別個のＯＦＤＭシンボルストリームを備える。各サブキャリアにおけるシンボル、および基準信号は、ｅＮＢ ６１０によって送信された最も適した信号コンステレーションポイント（most likely signal constellation point）を決定することによって、復元および復調される。これらの軟判定は、チャネル推定器６５８によって計算されたチャネル推定値に基づきうる。これらの軟判定は次に、物理チャネルにおいてｅＮＢ ６１０により元々送信されたデータおよび制御信号を復元するために、復号およびデインターリーブされる。データおよび制御信号は次に、コントローラ／プロセッサ６５９に提供される。
【００３７】
[0051]  コントローラ／プロセッサ６５９は、Ｌ２レイヤを実装する。コントローラ／プロセッサは、プログラムコードおよびデータを記憶するメモリ６６０に関連付けられうる。メモリ６６０は、コンピュータ読み取り可能な媒体と呼ばれうる。ＵＬにおいて、コントローラ／プロセッサ６５９は、コアネットワークから上位レイヤパケットを復元するために、トランスポートチャネルと論理チャネルとの間での逆多重化（demultiplexing）、パケットのリアセンブリ、解読（deciphering）、ヘッダの圧縮解除、制御信号処理を提供する。上位レイヤパケットは次に、データシンク６６２に提供され、それは、Ｌ２レイヤより上位のすべてのプロトコルレイヤを表す。様々な制御信号もまた、Ｌ３処理のために、データシンク６６２に提供されうる。コントローラ／プロセッサ６５９はまた、ＨＡＲＱ動作をサポートするために、肯定応答（ＡＣＫ）および／または否定応答（ＮＡＣＫ）プロトコルを使用した誤り検出を担当する。
【００３８】
[0052]  ＵＬでは、コントローラ／プロセッサ６５９に上位レイヤパケットを提供するために、データソース６６７が使用される。データソース６６７は、Ｌ２レイヤより上位のすべてのプロトコルレイヤを表す。ｅＮＢ ６１０によるＤＬ送信に関連して説明された機能と同様に、コントローラ／プロセッサ６５９は、ヘッダの圧縮、暗号化、パケットのセグメンテーションと並び替え、およびｅＮＢ ６１０による無線リソースの割り当てに基づいた論理チャネルとトランスポートチャネルとの間での多重化を提供することにより、ユーザプレーンおよび制御プレーンのためのＬ２レイヤを実装する。コントローラ／プロセッサ６５９はまた、ＨＡＲＱ動作、損失パケットの再送、ｅＮＢ ６１０へのシグナリングを担当する。
【００３９】
[0053]  ｅＮＢ ６１０によって送信された基準信号またはフィードバックからチャネル推定器６５８によって導出されたチャネル推定値は、適切なコーディングおよび変調スキームを選択し、空間処理を容易にするために、ＴＸプロセッサ６６８によって使用されうる。ＴＸプロセッサ６６８によって生成された空間ストリームは、別個の送信機６５４ ＴＸを介して異なるアンテナ６５２に提供されうる。各送信機６５４ ＴＸは、ＲＦキャリアを、送信のためにそれぞれの空間ストリームで変調しうる。
【００４０】
[0054]  ＵＬ送信は、ＵＥ ６５０における受信機機能に関連して説明されたのと同様の手法で、ｅＮＢ ６１０において処理される。それぞれの受信機６１８ ＲＸは、その各アンテナ６２０を通じて、信号を受信する。各受信機６１８ ＲＸは、ＲＦキャリア上に変調された情報を復元し、ＲＸプロセッサ６７０にその情報を提供する。ＲＸプロセッサ６７０は、Ｌ１レイヤを実装しうる。
【００４１】
[0055]  コントローラ／プロセッサ６７５は、Ｌ２レイヤを実装する。コントローラ／プロセッサ６７５は、プログラムコードおよびデータを記憶するメモリ６７６に関連付けられることができる。メモリ６７６は、コンピュータ読み取り可能な媒体と呼ばれうる。ＵＬでは、制御／プロセッサ６７５は、ＵＥ ６５０から上位レイヤパケットを復元するために、トランスポートチャネルと論理チャネルとの間での逆多重化、パケットのリアセンブリ、解読、ヘッダの圧縮解除、制御信号処理を提供する。コントローラ／プロセッサ６７５からの上位レイヤパケットはコアネットワークに提供されうる。制御コントローラ／プロセッサ６７５はまた、ＨＡＲＱ動作をサポートするために、ＡＣＫおよび／またはＮＡＣＫプロトコルを使用して誤り検出を担当する。
【００４２】
[0056]  図７は、異種ネットワークにおける、範囲が拡張されたセルラ領域を示す図７００である。ＲＲＨ ７１０ｂなどのより低い電力クラスのｅＮＢは、ＲＲＨ ７１０ｂとマクロｅＮＢａとの間の強化された（enhanced）セル間干渉協調を通し、またＵＥ ７２０によって行われた干渉除去を通して、セルラ領域７０２から拡張された、範囲が拡張されたセルラ領域７０３を有しうる。強化されたセル間干渉協調では、ＲＲＨ ７１０ｂは、ＵＥ ７２０の干渉状況に関するマクロｅＮＢ ７１０ａから情報を受信する。この情報は、ＵＥ ７２０が範囲の拡張されたセルラ領域７０３に入る際、ＲＲＨ ７１０ｂが、範囲の拡張されたセルラ領域７０３内でＵＥ ７２０に働きかけ、マクロｅＮＢ ７１０ａからＵＥ ７２０のハンドオフを受け入れることを可能にする。
【００４３】
[0057]  図８Ａは、ＭＢＳＦＮにおける発展型ＭＢＭＳ（ｅＭＢＭＳ）チャネル構成の例を示す図８５０である。セル８５２’におけるｅＮＢ ８５２は、第１のＭＢＳＦＮエリアを形成し、セル８５４’におけるｅＮＢ８５４は、第２のＭＢＳＦＮエリアを形成しうる。ｅＮＢ ８５２、８５４は各々、例えば８つのＭＢＳＦＮエリアの全体まで、他のＭＢＳＦＮエリアと関連付けられうる。ＭＢＳＦＮエリア内のセルは、リザーブドセル（reserved cell）に指定されうる。リザーブドセルは、マルチキャスト／ブロードキャストコンテンツを提供しないが、セル８５２’、８５４’に時間同期され、ＭＢＳＦＮエリアへの干渉を限定するためにＭＢＳＦＮリソースに対する電力を制限している。ＭＢＳＦＮエリアにおける各ｅＮＢは、同じｅＭＢＭＳ制御情報およびデータを同期的に送信する。各エリアは、ブロードキャスト、マルチキャスト、およびユニキャストサービスをサポートしうる。ユニキャストサービスは、例えば、ボイスコールなどの特定のユーザを対象としたサービスである。マルチキャストサービスは、例えば、加入者ビデオサービスなどのユーザのグループによって受信されうるサービスである。ブロードキャストサービスは、例えば、ニュースブロードキャストなどの全てのユーザによって受信されうるサービスである。図８Ａを参照すると、第１のＭＢＳＦＮエリアは、ＵＥ ８７０への特定のニュースブロードキャストを提供することなどによって、第１のｅＭＢＭＳブロードキャストサービスをサポートしうる。第２のＭＢＳＦＮエリアは、ＵＥ ８６０への異なるニュースブロードキャストを提供することなどによって、第２のｅＭＢＭＳブロードキャストサービスをサポートしうる。各ＭＢＳＦＮエリアは、複数の物理マルチキャストチャネル（ＰＭＣＨ）（例えば、１５ＰＭＣＨ）をサポートする。各ＰＭＣＨは、マルチキャストチャネル（ＭＣＨ）に対応する。各ＭＣＨは、複数（例えば２９個）のマルチキャスト論理チャネルを多重化しうる。各ＭＢＳＦＮエリアは、１つのマルチキャスト制御チャネル（ＭＣＣＨ）を有しうる。このように、１つのＭＣＨは、１つのＭＣＣＨおよび複数のマルチキャストトラフィックチャネル（ＭＴＣＨ）を多重化し、残りのＭＣＨは複数のＭＴＣＨを多重化しうる。
【００４４】
[0058]  ＵＥは、ｅＭＢＭＳサービスアクセスの利用可能性および対応するアクセス層構成を発見するためのＬＴＥセルにキャンプオン（camp on）しうる。第１のステップでは、ＵＥは、システム情報ブロック（ＳＩＢ）１３（ＳＩＢ １３）を獲得することができる。第２のステップでは、ＳＩＢ １３に基づいて、ＵＥは、ＭＣＣＨ上でＭＢＳＦＮエリア構成メッセージを獲得しうる。第３のステップでは、ＭＢＳＦＮエリア構成メッセージに基づいて、ＵＥは、ＭＣＨスケジューリング情報（ＭＳＩ）ＭＡＣ制御エレメントを獲得しうる。ＳＩＢ １３は、（１）セルによってサポートされる各ＭＢＳＦＮエリアのＭＢＳＦＮエリア識別子、（２）ＭＣＣＨ繰り返し周期（例えば、３２、６４、…２５６フレーム）、ＭＣＣＨオフセット（例えば、０、１、…１０フレーム）、ＭＣＣＨ変更周期（例えば、５１２、１０２４フレーム）、シグナリング変調およびコーディングスキーム（ＭＣＳ）、繰り返し周期およびオフセットによって示されるような無線フレームのどのサブフレームがＭＣＣＨを送信しうるかを示すサブフレーム割り当て情報などのＭＣＣＨを獲得するための情報、および（３）ＭＣＣＨ変更通知構成を示す。各ＭＢＳＦＮエリアのための１つのＭＢＳＦＮエリア構成メッセージが存在する。ＭＢＳＦＮエリア構成メッセージは、（１）ＰＭＣＨ内の論理チャネル識別子によって識別される各ＭＴＣＨの、一時的なモバイルグループアイデンティティ（ＴＭＧＩ：temporary mobile group identity）およびオプションのセッション識別子、（２）ＭＢＳＦＮエリアの各ＰＭＣＨを送信するための割り当てられたリソース（すなわち、無線フレームおよびサブフレーム）およびエリア内の全てのＰＭＣＨのための割り当てられたリソースの割り当て周期（例えば、４、８、…２５６フレーム）、並びに（３）ＭＳＩ ＭＡＣ制御エレメントが送信されるＭＣＨスケジューリング周期（ＭＳＰ）（例えば、８、１６、３２、…または１０２４無線フレーム）の両方を示す。
【００４５】
[0059]  図８Ｂは、ＭＳＩ ＭＡＣ制御エレメントのフォーマットを示す図８９０である。ＭＳＩ ＭＡＣ制御エレメントは、各ＭＳＰに一度送られうる。ＭＳＩ ＭＡＣ制御エレメントは、ＰＭＣＨの各スケジューリング周期の第１のサブフレームにおいて送られうる。ＭＳＩ ＭＡＣ制御エレメントは、ＰＭＣＨ内の各ＭＴＣＨの停止フレームおよびサブフレームを示すことができる。ＭＢＳＦＮエリアごとのＰＭＣＨごとに、１つのＭＳＩが存在しうる。
【００４６】
[0060]  図９は、会場内ブロードキャストサービスおよびブーストされたユニキャストサービスのような、異なるＭＢＭＳサービスを提供するための、例えば、フェムトセル、マイクロセル、およびピコセルなどを含む、より低い電力クラスのｅＮＢの使用を示す簡略化された図である。より低い電力クラスのｅＮＢは、本明細書において、「スモールセル」と呼ばれうる。「ブーストされたユニキャスト」は、例えばスモールセルによって提供されるユニキャストトラフィックに関しての増大されたキャパシティに対応する。示される例では、ＵＥ９０２は始めに、スポーツイベント、または他のイベントに関連付けられたブロードキャストサービスを提供しうる、高電力クラスのｅＮＢまたはマクロセル９０４内で動作している。ブロードキャストサービスは、例えば、全国向けのブロードキャストプログラム（national broadcast program）などを含みうる、１つのサービスエリア（ＳＡＩ ０）内に広く分布されうる。一例では、ＵＥ９０２は、イベントの、関連のあるブロードキャストバージョンが利用可能である、競技場、スタジアム、または他の会場に入っている。
【００４７】
[0061]  第１のスモールセル９０８は、ユニキャストキャパシティを増大させるために、例えばホットスポットなどを提供することによって、ユニキャストサービスをブーストするためのマクロセル９０４のカバレッジエリア内に提供されうる。１つのユニキャストブースティングセル（unicast-boosting cell）９０８のみが図示されるが、追加のスモールセルは、ユニキャストキャパシティをさらに増大させるために、マクロセル９０４のカバレッジエリア内で提供されうる。１つまたは複数のスモールセル９０６は、マルチキャストサービスをブーストするために、および／またはイベントに関連付けられた追加のビデオフィードまたは他のフィードへの会場内アクセスを提供するために、マクロセル９０４のカバレッジエリア内で提供されうる。「ブーストされたマルチキャストサービス」は、マクロセルよりも多くのビデオフィードを提供しうるスモールセルによって提供されるｅＭＢＭＳサービスに対応する。追加のフィードは、スタジアム内のスポーツイベントに関しており、またイベントの全国向けのブロードキャストで提供されない角度の表示（viewing angles）およびスタジアム内の音声（in-stadium audio）を含みうる。
【００４８】
[0062]  マルチバンドの全国向け／地方向けのサービスまたは会場内サービスは、１つまたは複数の周波数で展開されうる。例えば、１つの周波数（Ｆｘ、第１の帯域）は、全国向け／地方向けのＭＢＭＳブロードキャストサービスを搬送するために全国向けに使用されうる一方、別の周波数（Ｆｙ、例えば第２の帯域）は、異なるプログラム（会場内サービスなど）、マルチキャストサービスをブーストするための同じプログラム、および／またはユニキャストキャパシティをブーストするためでないＭＢＭＳを送るために使用されうる。Ｆｘ上で提供される全国向けのコンテンツは、Ｆｙの会場内サービスで展開されうるが、会場内サービスは、通常、Ｆｘ上で展開されない。いくつかのエリア内の周波数Ｆｙは、ユニキャストサービスキャパシティをブーストするためのみに使用されうる。このようなエリアにおいて、Ｆｙは通常、会場内サービスを搬送せず、全国向けのサービスを搬送しえない。
【００４９】
[0063]  本明細書で開示される態様は、ＵＥが、サービングマクロセルのカバレッジエリア内で動作するか、そうでなければ、サービングマクロセルのカバレッジエリアに関連付けられた、隣接スモールセルによって提供されるサービス（例えば、会場内サービス、ブーストされたユニキャストまたはブーストされたブロードキャスト／マルチキャストサービス）のタイプをＵＥが決定することを可能にする情報をＵＥに提供する。この情報は、ＵＥが情報を取得するために、隣接する周波数またはセルに切り替える必要がないように、サービングマクロセルによって提供されうる。そのために、情報は、例えば、ＳＩＢ １５、ＵＥに働きかける（serving）マクロセルによるブロードキャストなどの、ブロードキャストメッセージに含まれうる。この情報は、サービスエリアアイデンティティ（ＳＡＩ）情報を含み、いくつかの場合には、物理セルアイデンティティ（ＰＣＩ）情報を含みうる。
【００５０】
[0064]  ＳＡＩは、ＵＥが、関心のあるｅＭＢＭＳサービスを探しうる手段である。ＳＡＩは、ｅＭＢＭＳサービスが利用可能であるセルのグループを識別する。ネットワークは、ネットワークによって提供された全てのｅＭＢＭＳサービス、ｅＭＢＭＳサービスを受信する必要があるプロトコル構成、並びに各ｅＭＢＭＳサービスが利用可能である関連のある周波数およびＳＡＩを含む、ユーザサービス記述（ＵＳＤ：user service description）をＵＥに送る。
【００５１】
[0065]  ＵＥに働きかけるｅＮＢは、現在のカバレッジの利用可能なＳＡＩを指示するために、ＳＩＢ １５をブロードキャストしうる。ＳＩＢ １５は、サービング周波数のＳＡＩリスト、および各隣接する周波数のＳＡＩリストを指示しうる。ＵＥが特定のｅＭＢＭＳサービスを受信することに関心がある場合、ＵＥは、ｅＭＢＭＳサービスが利用可能である周波数およびＳＡＩを決定するためにＵＳＤを使用し、現在のカバレッジのＳＡＩを発見するためにＳＩＢ １５内のブロードキャスト情報を使用する。これらの２つの情報に基づいて、ＵＥは、関心のあるｅＭＢＭＳが現在のカバレッジ内で利用可能であるかどうかを決定し、そうである場合にサービスが利用可能な周波数を決定しうる。
【００５２】
[0066]  いくつかの場合、スモールセルは、マクロセルと同じ周波数上にあり、またマクロセルは、関心のあるｅＭＢＭＳサービスを搬送している、それに関連付けられたＳＡＩを有しうる。しかしながら、スモールセルは、同じ周波数上にあったとしても、関心のあるｅＭＢＭＳサービスを搬送するかどうかはわからない。従って、本明細書で開示されるさらなる態様では、スモールセルのサービスのタイプについてＵＥに通知するために、追加の情報がＵＥに提供される。追加の情報は、ＰＣＩによって提供されうる。下記の図１０および１１に関連してさらに説明されるように、特定のＰＣＩは、ＰＣＩが指定されるセルのサービスタイプを識別しうる。ＳＩＢ １５で提供されるＰＣＩとＳＡＩとの間のマッピングに基づいて、ＵＥは、マクロセルと同じ周波数上のスモールセルが、関心のあるｅＭＢＭＳサービスを搬送するかどうかを決定しうる。
【００５３】
[0067]  いくつかの態様において、ＳＩＢ １５などのシステム情報ブロック（ＳＩＢ）は、対応するＳＩＢを読み込むために、隣接する周波数および／またはセルに切り替えるためのＵＥ９０２を必要とすることなく、ＭＢＭＳの受信についてのサービス継続を提供するために、サービング周波数および隣接する周波数の、サービスエリアアイデンティティ（ＳＡＩ）リストをＵＥ９０２に提供するために使用されうる。ＳＩＢ １５は、サービングｅＮＢによって、ＭＢＭＳを受信しているＵＥ ９０２に提供されうる。これは、現在の周波数のＳＡＩのうちの１つまたは複数、および各隣接ＭＢＭＳ周波数（またはセル）のためのＳＡＩリストを含む情報を提供するためになされうる。ＳＩＢ １５のこのような使用は、ＵＥ９０２が周波数についてのＭＣＣＨおよびＳＩＢを読み込むために別の周波数に合わせる必要がないように、ＭＢＭＳサービスエリアの利用可能情報を送ることによって、ＭＢＭＳサービスの継続をＵＥ９０２に提供しうる。
【００５４】
[0068]  ＨｅｔＮｅｔの配置は、スモールセル９０６、９０８の範囲内の増加された帯域幅へのアクセスを提供することによって（by providing access to increased bandwidth within the range of small cells 906, 908）、ユーザ体験の質を高め、マクロセルのキャパシティをブーストするために、複数のスモールセル９０６、９０８を使用しうる。例えば、マクロセルの第１の周波数帯域のカバレッジから、ＵＥ９０２が第２のスモールセル９０６によって提示された第２の周波数帯域のカバレッジへ移動している場合、またはＵＥ９０２が第１のスモールセル９０８によって提示されたブーストされたカバレッジへ移動している場合に、いくつかの実施形態は、ＵＥ９０２が会場内のカバレッジまたはブーストされたカバレッジに入っているかどうかを見分けることを、ＵＥ９０２が可能にする、追加の情報および／または設定可能性（configurability）を提供する。一例では、ＵＥ９０２が第１の周波数帯域上のマクロセル９０４で動作している場合に、第２のピコセル９０６からの第２の周波数帯域のカバレッジの利用可能性を検出し、それは、例えばＭＢＭＳサービスが第２の周波数帯域上で利用可能ではない場合に、ＭＢＭＳセッションが完了するまで、第１の周波数帯域にとどまることを選びうる。異なるサービスエリアに変更するためのこの決定は、ＵＥ９０２のユーザによってなされうる。例えば、ＵＥ９０２は、ＵＥ９０２のユーザに対して会場内コンテンツの利用可能性を指示し、ユーザが全国向けのブロードキャストサービスを終了し、観るために会場内コンテンツを選択するかどうかを決定することを可能にする。代替的に、ＵＥが対応する全国向けのブロードキャストサービスを現在受信している時、ＵＥは、利用可能な場合に、会場内サービスに切り替えるように事前構成され（preconfigured）うる。この事前構成は、ユーザの好みに基づくか、またはネットワークプロバイダによってなされうる。
【００５５】
[0069]  図１０に図示された例１０００では、第１のマクロセル１００４は、ＭＢＭＳサポートをＳＡＩ ０に提供するために、第１の周波数Ｆ０を使用して動作しうる。全国向けのＭＢＭＳプログラミングは、ＳＡＩ ０において提供されうる。第１のスモールセル１００６は、ＳＡＩ ０を用いて第２の周波数Ｆ１上で動作し、ユニキャストキャパシティをブーストするために、およびマクロセル１００４によって提供されるような、同じ全国向けのＭＢＭＳプログラムを提供するために、使用されうる。第２のセル１００８は、ＳＡＩ １を用いて周波数上で動作し、ＳＡＩ ０において提供されるものとは異なるＭＢＭＳサービスを提供するために使用されうる。ＳＡＩ １内で提供されるサービスは、スタジアムまたは他の会場における会場内サービスを備えうる。このシナリオについて、
・マクロセル１００４ ｅＮＢによるＳＩＢ １５のブロードキャストは、Ｆ０のＳＡＩ ０（サービング周波数）、Ｆ１（隣接する周波数）および関連付けられたＳＡＩ ０およびＳＡＩ １を備えうる。
【００５６】
・第１のスモールセル１００６によるＳＩＢ １５のブロードキャストは、Ｆ１のＳＡＩ ０（サービング周波数）、Ｆ０（隣接する周波数）および関連付けられたＳＡＩ ０を備えうる。
【００５７】
・第２のスモールセル１００８によるＳＡＩ １５のブロードキャストは、Ｆ１のＳＡＩ １（サービング周波数）、Ｆ０（隣接する周波数）および関連付けられたＳＡＩ ０を備えうる。
【００５８】
[0070]  本明細書で説明されるいくつかの実施形態は、マクロセル１００４から、スモールセル１００６、１００８のカバレッジに移動している場合に、ＵＥ １００２が第１のスモールセル１００６または第２のスモールセル１００８に入っているかどうかを、ＵＥ １００２が見分けることを可能にしうる。従って、Ｆ１上のスモールセル１００８が、マクロセル１００４よりも相対的により高い信号強度を提供する場合、ＵＥ １００２は、サービスを継続するために、Ｆ１に切り替えることを選びうる。しかしながら、スモールセル１００６に移動している時に、ＵＥ１００２がＳＡＩ ０内で提供されるＭＢＭＳサービスの受信を伴うマクロセル１００４のカバレッジ内にある場合、Ｆ１が異なるＭＢＭＳサービスを提供する際に、ＵＥがマクロセル１００４から十分な信号強度を受信しうる限り、ＵＥは、Ｆ１に切り替えようとはしない。さらに、ＵＥ １００２は、どのＭＢＭＳサービスがＳＡＩ １のスモールセル１００６によって提供されるかを決定し、ＵＥ １００２は、ユーザに対してこのようなサービスの利用可能性を指示しうる。
【００５９】
[0071]  図１１に示される例１１００では、１つの周波数帯域において動作するマクロセル１１０４のカバレッジは、複数のスモールセル１１０６、１１０８を含み、それらのいくつかは、その他のものが別の周波数帯域内の異なるＭＢＭＳサービスを提供する間、同じＭＢＭＳサービスを提供し得、それらのいくつかは、ＭＢＭＳサービスを提供しない可能性がある。周波数０上のマクロセル１１０４は、ＳＡＩ ０を有するＭＢＭＳサービスを提供し、それは、全国向けのＭＢＭＳプログラムを含みうる。第１のスモールセル１１０６は、ＭＢＭＳサービスをサポートしない可能性があり、ユニキャストキャパシティをブーストするために使用されうる。ＳＡＩ １を用いる周波数Ｆ１上の第２のセル１１０８は、周波数Ｆ０上で提供されるものとは異なるＭＢＭＳサービスを提供し、それは、例えば、スタジアム内の会場内サービスを含む。この例では、
・マクロセル１１０４ ｅＮＢによるＳＩＢ １５のブロードキャストは、Ｆ０のＳＡＩ ０（サービング周波数）、Ｆ１（隣接する周波数）および関連付けられたＳＡＩ １を備えうる。
【００６０】
・第１のスモールセル１１０６によって送られたＳＩＢ １５は、サービング周波数が任意のＭＢＭＳサービスをサポートしないため、Ｆ０（隣接する周波数）、および関連付けられたＳＡＩ ０のみを備えうる。
【００６１】
・第２のスモールセル１１０８によって送られたＳＩＢ １５は、Ｆ１のＳＡＩ １（サービング周波数）、Ｆ０（隣接する周波数）および関連付けられたＳＡＩ ０を備えうる。
【００６２】
[0072]  本明細書で説明されるいくつかの実施形態は、マクロセル１１０４から、スモールセル１１０６または１１０８に移動している場合に、ＵＥ ９０２が第１のスモールセル１１０６または第２のスモールセル１１０８に入っているかどうかを、ＵＥ１１０２が、見分けることを可能にしうる。従って、ＵＥ９０２がＳＡＩ ０において提供されたＭＢＭＳサービスの受信を伴うマクロセル９０４のカバレッジ内にある場合、例えば、Ｆ１がＭＢＭＳサービスを提供しないため、ＵＥ９０２がマクロセル９０４のｅＮＢから十分な信号強度を受信しうる限り、第１のスモールセル１１０６に近づいているＵＥ １１０２は、Ｆ１に切り替えないことを選びうる。ＵＥ９０２が、ＳＡＩ ０において提供されるＭＢＭＳサービスの受信を伴うマクロセル９０４カバレッジ内にある時に、それが第２のスモールセル１１０８に移動している場合、ＵＥ９０２は、第２のスモールセル１１０８がＵＥ １１０２のユーザにＳＡＩ １の下で提供する、ＭＢＭＳサービスを指示しうる。ＵＥ １１０２は、現在のＭＢＭＳサービスを受信するのを継続することと、現在のＭＢＭＳサービスの受信を終了するのを選択することのいずれを選択するべきか、また、例えば会場内サービスなどを含みうる第２のスモールセル１１０６によって提供されるサービスを選ぶべきかどうかを指示する入力を、前もって構成されうるか、受信しうる。
【００６３】
[0073]  特定の実施形態では、ＵＥは、会場内またはブーストされたエリアのサービスが、近くで利用可能であるかどうかを決定するために、一次同期化信号（ＰＳＳ：primary synchronization signal）において、および二次同期化信号（ＳＳＳ：secondary synchronization signal ）において受信される物理セルＩＤ（ＰＣＩ）情報を使用しうる。このような決定は、アイドル状態および接続状態の両方でなされうる。ＰＳＳは、セルのインデックスを提供し、それは、ＳＳＳが、０と１６７の間の範囲でありうるセルのグループＩＤを提供する間に、３つの値（０、１、２）のうちの１つを有しうる。したがって、合計５０４（１６３＊３）のＰＣＩが利用可能でありうる。
【００６４】
[0074]  いくつかの実施形態では、ネットワークオペレータは、会場内サービスを提供するセルを識別するために、特定のＰＣＩを確保しうる（会場内ＰＣＩ）。一例では、０から３０のＰＣＩが、会場内サービスを提供するセルに働きかける基地局に対して確保され、ＵＥは、会場内サービスを提供するセルを識別するＰＣＩで事前構成されうる。ＵＥが会場内の基地局に対応するＰＣＩを検出する場合、ＵＥは、会場内のカバレッジに対するその近接性を検出しうる。
【００６５】
[0075]  いくつかの実施形態では、会場内サービスのために使用されるＰＣＩの割り当ては、ベンダおよびオペレータ間で合意されうる。通常このような合意は、ＧＳＭアソシエーション（ＧＳＭＡ）のような工業団体を通してなされうる。一例において、会場内の基地局は、０で始まる値を有するＰＣＩを指定され上へと進む（progressing upwards）一方、ブーストされたエリアの基地局は、５０３で始まる値を有するＰＣＩを指定され下へと進み（progressing downwards）うる。ＵＥが会場内の基地局に対応するＰＣＩを検出する場合、ＵＥは、会場内のカバレッジに対するその近接性を検出しうる。
【００６６】
[0076]  いくつかの実施形態では、ＰＣＩは、隣接する周波数に関してＳＩＢエレメント内の情報を提供することによって会場内サービスに関連付けらうる。例えば、このような情報は、本明細書で説明される、ＳＩＢ １５において提供されうる。ＵＥは、ＵＥＤから受信された、および／または事前構成されたＳＩＢ内で提供されうる、会場内コンテンツに関連付けられたＳＡＩを識別する情報を保持しうる。ＳＩＢ １５において提供されるＳＡＩとＰＣＩとの間のマッピング情報から、ＵＥは、それがいつ会場内エリアに入るかを決定しうる。ＳＩＢ構成の例は、下記の表１で示される。
【表１】
2015523837.tif 000003
【００６７】
[0077]  図１０の例は、第１のスモールセル１００６がユニキャストキャパシティをブーストするために使用され、マクロセル１００４と同じ全国向けのＭＢＭＳプログラムを提供するために使用され、一方、第２のスモールセル１００８は、これらのＦ０で提供されるものとは異なるＭＢＭＳサービスを提供し、ＳＡＩ １を用いて周波数Ｆ１上で動作する。
【００６８】
・マクロセル１００４によるＳＩＢ １５のブロードキャストは、Ｆ０のＳＡＩ ０（サービング周波数）、Ｆ１（隣接する周波数）および関連付けられた｛ＳＡＩ ０、ＰＣＩ １｝と｛ＳＡＩ １、ＰＣＩ ２｝を備えうる。
【００６９】
・第１のスモールセル１００６によるＳＩＢ １５のブロードキャストは、Ｆ１のＳＡＩ ０（サービング周波数）、Ｆ０（隣接する周波数）および関連付けられた｛ＳＡＩ ０、ＰＣＩ ０｝を備える。
【００７０】
・第２のスモールセル１００８によるＳＩＢ １５のブロードキャストは、Ｆ１のＳＡＩ １（サービング周波数）、Ｆ０（隣接する周波数）および関連付けられた｛ＳＡＩ ０、ＰＣＩ ０｝を備える。
【００７１】
[0078]  マクロセル１００４内で動作している間に、ＵＥ １００２が第１および第２のセル１００６、１００８を検出する時に、ＳＩＢ１５内の追加のＰＣＩ情報は、ＰＣＩ １を検出する場合、第１のスモールセル１００６によって提示されたユニキャストサービスと、ＰＣＩ ２を検出する場合に、第２のスモールセルによって提示される会場内サービスのいずれであるかを、ＵＥ １００２が見分けることを可能にする。
【００７２】
[0079]  図１１の例では、１つの周波数帯域におけるカバレッジを提供し、第１および第２のスモールセル１１０６、１１０８を含んでおり、別の周波数帯域において異なるサービスを提供する、マクロセル１１０４を有しており、それは、異なるＭＢＭＳサービス、ＭＢＭＳではないサービス、および／または会場内サービスを含む。
【００７３】
・マクロセル１１０４ ｅＮＢによるＳＩＢ １５のブロードキャストは、Ｆ０のＳＡＩ ０（サービング周波数）、Ｆ１（隣接する周波数）および関連付けられた｛ＳＡＩ １、ＰＣＩ ２｝を備えうる。
【００７４】
・第１のスモールセル１１０６ｅＮＢによるＳＩＢ １５のブロードキャストは、Ｆ０（隣接周波数）および関連付けられた｛ＳＡＩ ０、ＰＣＩ ０｝のみを備える。
【００７５】
・第２のスモールセル１００８ｅＮＢによるＳＩＢ １５のブロードキャストは、Ｆ１のＳＡＩ １（サービング周波数）、Ｆ０（隣接する周波数）および関連付けられた｛ＳＡＩ ０、ＰＣＩ ０｝を備える。
【００７６】
[0080]  ＳＩＢ １５内の追加のＰＣＩ情報とともに、マクロセル１１０４からスモールセル１１０６、１１０８へ移動するＵＥ １１０２は、ＵＥ １１０２がＰＣＩ １を検出する場合に第１のスモールセル１１０６に入るか、ＵＥ １１０２がＰＣＩ ２を検出する場合に第２のスモールセル１１０８に入るかのいずれであるかを見分けうる。これは、ＵＥ９０２が、マクロセル１１０４にとどまることと、第２のスモールセル１１０８に切り替えることのいずれかを選ぶことを可能にしうる。
【００７７】
[0081]  特定の実施形態では、ＵＥ９０２が、マクロセル９０４から、ブーストされたユニキャストサービスを提供するスモールセル９０８へ移動する場合、ＵＥ９０２は、スモールセル９０８に関連付けられたＰＳＳ／ＳＳＳ内のＰＣＩ（ＰＣＩ ２）を検出し、ＵＥ９０２は、ＰＣＩ ２がマクロセル９０４によって提供されたＳＩＢ５にリスト化されない（表１の下部参照）ことを決定しうる。従って、ＵＥ９０２は、スモールセル９０８がブーストされたユニキャストサービスを提供することを推定するか、そうでなければ仮定しうる。
【００７８】
[0082]  別の例において、ＵＥ９０２が、マクロセル９０４から、会場内サービスを提供するスモールセル９０６に移動する場合、ＵＥ９０２は、スモールセル９０６からＰＳＳ／ＳＳＳ内のＰＣＩ（ＰＣＩ３）を検出しうる。ＵＥ９０２は、ＰＣＩ３がマクロセル９０４によって提供されたＳＩＢ １５にリスト化されることを決定しうる。ＳＩＢ内のエントリから、ＵＥ９０２は、スモールセル９０６が会場内サービスを提供しうることを決定しうる。
【００７９】
[0083]  表１において、“sai-IntraFreq”は、現在の周波数についてのＭＢＭＳ ＳＡＩのリストを含み、“sai-InterFreqList”は、ＭＢＭＳサービスおよび対応するＭＢＭＳ ＳＡＩを提供する、隣接する周波数のリストを含み、“sai-List”は、特定の周波数に対するＭＢＭＳ ＳＡＩのリストを含み、“physCellId-List”は、特定のＳＡＩに対する物理セルＩＤのリストを含む。
【００８０】
[0084]  図１２は、ワイヤレス通信の方法のフローチャート１２００である。方法は、ＵＥによって行われうる。ステップ１２０２において、ＵＥ９０２がＭＢＭＳサービスを提供する第１のセル内で動作している間、ＵＥ９０２は、隣接セルの存在を識別する。
【００８１】
[0085]  ステップ１２０４において、ＵＥ９０２は、隣接セルによって提供されるサービスを決定する。ＵＥは、隣接セルが、第１のセル内で提供されたＭＢＭＳとは異なるＭＢＭＳサービスを提供するか、または第１のセル内で提供されたＭＢＭＳと同じＭＢＭＳサービスを提供するかどうかを決定しうる。ＵＥは、隣接セルが会場内サービスまたはブーストされたユニキャストサービスを提供するかどうかを決定しうる。決定は、ＵＥによって保持された情報に基づき、また隣接セルを特徴付る。決定は、隣接セルから受信されたＰＣＩ、および第１のセルからのＳＩＢにおいて受信されたＰＣＩに関する情報に基づいてなされうる。ＰＣＩに関連する情報は、複数の隣接セルに対応するＰＣＩと、ＭＢＭＳの１つまたは複数のＳＡＩとの間のマッピングを備えうる。
【００８２】
[0086]  ステップ１２０６において、ＵＥは、隣接セルが会場内サービスを提供するか、第１のセルにおいて提供された同じＭＢＭＳサービスを提供するかに基づいて、ステップ１２１２において、隣接セルへ移動するかどうかを決定する。
【００８３】
[0087]  ステップ１２０８において、ＵＥは、隣接セルが第１のセル内で提供されるのとは異なるサービスを提供するか、ブーストされたユニキャストサービスを提供するかに基づいて、ステップ１２１２において隣接セルに移動するか、第１のセルにとどまるか（ステップ１２１０）を決定する。
【００８４】
[0088]  ステップ１２１２において、ＵＥ９０２は、隣接セルに移動る。ＵＥが第１のセル内でＭＢＭＳサービスを受信している時に、隣接セルが、会場内サービスあるいは第１のセル内で同様に提供されるブロードキャストまたはマルチキャストサービスを提供すると決定された場合、ＵＥは、移動する。ＵＥが第１のセル内でブロードキャストまたはマルチキャストサービスを受信している時に、隣接セルが、ブーストされたユニキャストサービスあるいは第１のセル内で提供されるものとは異なるブロードキャストまたはマルチキャストサービスを提供すると決定された場合、ＵＥは、移動する。
【００８５】
[0089]  いくつかの実施形態では、第１のセルは、マクロセルおよび１つまたは複数のセルを含む異種ネットワークを備える。隣接セルおよび／または第１のセルは、ピコセルでありうる。
【００８６】
[0090]  いくつかの実施形態では、ＵＥは、ＵＥが第１のセル内で動作している間に、ＳＩＢを受信する。ＳＩＢは、１つまたは複数のセルに関連付けられたＳＡＩを含みうる。ＳＩＢは、隣接セルのＰＣＩを含みうる。ＵＥは、ＰＣＩに基づいて、隣接セルが会場内サービスを提供するか、ブーストされたユニキャストサービスを提供するかを決定しうる。ＰＣＩは、会場内サービスを提供するセルのためにネットワークオペレータによって確保された第１の複数のＰＣＩのうちの１つであるか、またはブーストされたユニキャストサービスを提供するセルによって使用される第２の複数のＰＣＩのうちの１つでありうる。ＰＣＩは、会場内サービスを提供するセルのために確保される複数の予め定義されたＰＣＩのうちの１つでありうる。ＳＩＢは、隣接セルに関連付けられたＰＣＩにＳＡＩをマッピングする情報を備えうる。隣接セルに関連付けられたＰＣＩにＳＡＩをマッピングする情報は、隣接セルの特徴に基づいて生成されうる。隣接セルに関連付けられたＰＣＩにＳＡＩをマッピングする情報は、隣接セルによって報告された隣接セルの特徴に基づいて、ネットワークエンティティによって提供されうる。隣接セルに関連付けられたＰＣＩにＳＡＩをマッピングする情報は、第１のセルの基地局によって提供されうる。
【００８７】
[0091]  いくつかの実施形態では、ＳＩＢは、第１のセルに関連付けられた周波数、隣接セルに関連付けられた周波数、および少なくとも１つのＳＡＩを識別する情報を備えうる。ＳＩＢは、隣接セルのＳＡＩを識別し、それによって、隣接セルのＳＡＩは、会場内サービスに対応する。
【００８８】
[0092]  いくつかの実施形態では、第１のセルが会場内サービスを提供しない時に、隣接セルが会場内サービスを提供すると決定された場合、ＵＥは、隣接セルに移動する。ＵＥは、ＵＥのユーザに会場内サービスの利用可能性を指示しうる。ＵＥは、ネットワークオペレータまたはユーザの予め定義された好みに基づいて、会場内サービスを選択するかどうかを決定し、ＵＥが会場内サービスを選択した場合に、隣接セルに移動しうる。いくつかの実施形態では、ＵＥが会場内サービスを選択した場合、ＵＥは、第１のセル内で利用可能な全国向けのサービスを終了させる。
【００８９】
[0093]  いくつかの実施形態では、隣接セルが、第１のセル内で提供されるＭＢＭＳサービスとは異なるＭＢＭＳサービスを提供すると決定された場合、ＵＥは、隣接セルに移動する。ＵＥは、ＵＥのユーザに隣接セルによって提供されたＭＢＭＳサービスの利用可能性を指示しうる。ＵＥは、ネットワークオペレータまたはユーザの予め定義された好みに基づいて、ＭＢＭＳサービスを選択するかどうかを決定し、ＵＥがＭＢＭＳサービスを選択した場合に、隣接セルに移動しうる。いくつかの実施形態では、ＵＥが、第１のセル内で提供されるＭＢＭＳサービスとは異なるＭＢＭＳサービスを選択した場合に、ＵＩは、第１のセル内で利用可能な全国向けのサービスを終了させうる。
【００９０】
[0094]  図１３は、例示的な装置１３０２において異なるモジュール／手段／コンポーネント間のデータフローを示す概念的データフロー図１３００である。装置は、ＵＥでありうる。装置は、データ、およびワイヤレスネットワーク、隣接性の発見（neighbor discovery）の制御形式を受信する受信モジュール１３０４、隣接セルを識別する識別モジュール１３０６、隣接セルによって提供される他のサービスおよびＭＢＭＳを決定するサービス決定モジュール１３０８、セル間でＵＥに移動させるセル移動（cell mobility）モジュール１３１０、およびワイヤレスネットワーク上でデータを送信する送信モジュール１３１２を含む。
【００９１】
[0095]  装置は、上述の図１２のフローチャートにおけるアルゴリズムのステップの各々を行う追加のモジュールを含みうる。このように、図１２の上述したフローチャートにおける各ステップは、モジュールによって行われ、装置は、それらのモジュールのうちの１つまたは複数を含みうる。モジュールは、記載された処理／アルゴリズムを実行するように特に構成され、記載された処理／アルゴリズムを行うように構成されたプロセッサによって実装され、プロセッサによる実装のためにコンピュータ読み取り可能な媒体内に記憶され、またはそれらの何らかの組み合わせである、１つまたは複数のハードウェアコンポーネントでありうる。
【００９２】
[0096]  図１４は、処理システム１４１４を用いる装置１３０２’のためのハードウェアの実装の例を示す図１４００である。処理システム１４１４は、バス１４２４により一般に表されるバスアーキテクチャで実装されうる。バス１４２４は、処理システム１４１４の特定のアプリケーションと全体的な設計の制約に依存して、任意の数の相互接続バスおよびブリッジを含みうる。バス１４２４は、プロセッサ１４０４、モジュール１３０４、１３０６、１３０８、１３１０、１３１２、およびコンピュータ読み取り可能な媒体１４０６によって表されている１つまたは複数のプロセッサおよび／またはハードウェアモジュールを含む様々な回路とリンクする。バス１４２４はまた、タイミングソース、周辺機器、電圧レギュレータ、および電力管理回路のような様々な他の回路とリンクすることができ、これらは、当該技術分野で周知であるので、これ以上説明されない。
【００９３】
[0097]  処理システム１４１４は、トランシーバ１４１０に結合されうる。トランシーバ１４１０は、１つまたは複数のアンテナ１４２０に結合される。トランシーバ１４１０は、伝送媒体によって様々な他の装置と通信するための手段を提供する。処理システム１４１４は、コンピュータ読み取り可能な媒体１４０６に結合されたプロセッサ１４０４を含む。プロセッサ１４０４は、コンピュータ読み取り可能な媒体１４０６に記憶されたソフトウェアの実行を含む、一般的な処理を担当している。このソフトウェアは、プロセッサ１４０４によって実行されると、処理システム１４１４に、あらゆる特定の装置に関して上記で説明された様々な機能を行わせる。コンピュータ読み取り可能な媒体１４０６はまた、ソフトウェアを実行するときにプロセッサ１４０４によって操作されるデータを記憶するために使用されうる。処理システムはさらに、モジュール１３０４、１３０６、１３０８、１３１０、および１３１２のうちの少なくとも１つを含む。モジュールは、プロセッサ１４０４において稼働し、コンピュータ読み取り可能な媒体１４０６に内在し／記憶されたソフトウェアモジュール、プロセッサ１４０４に結合された１つまたは複数のハードウェアモジュール、またはそれらのいくつかの組み合わせでありうる。処理システム１４１４は、ＵＥ ６５０のコンポーネントであり、メモリ６６０および／または、ＴＸプロセッサ６６８、ＲＸプロセッサ６５６、およびコントローラ／プロセッサ６５９のうちの少なくとも１つを含みうる。
【００９４】
[0098]  １つの構成において、ワイヤレス通信のための装置１３０２／１３０２’は、ワイヤレス信号を受信する手段１３０４、ＭＢＭＳネットワーク内にある間、隣接セルの存在を識別するための手段１３０６、隣接セルがＭＢＭＳサービス、および提供されたサービスのタイプを提供するかどうかを、ＵＥにおいて決定するための手段１３０８、ＵＥを隣接セルに移動させるための手段１３１０、およびワイヤレスネットワーク上のデータを送信するための手段１３１２を含む。
【００９５】
[0099]  上述の手段は、装置１３０２の上述のモジュール、および／または上述の手段によって記載された機能を行うように構成された装置１３０２’の処理システム１４１４のうちの１つまたは複数でありうる。上で記述されているように、処理システム１４１４は、ＴＸプロセッサ６６８と、ＲＸプロセッサ６５６と、コントローラ／プロセッサ６５９とを含みうる。このように、ある構成において上述の手段は、上述の手段によって記載された機能を行うように構成されたＴＸプロセッサ６６８、ＲＸプロセッサ６５６、コントローラ／プロセッサ６５９でありうる。
【００９６】
[00100]  開示された処理におけるステップの特定の順序または階層は、例示的な手法の一例であるということが理解される。設計の選好に基づいて、これらの処理におけるステップの特定の順序または階層は並べ替えられうるということが理解される。さらに、いくつかのステップは、組み合わされるか、または省略されうる。添付の方法の請求項は、サンプルの順序において、様々なステップのエレメントを表し、表された特定の順序または階層に限定されるようには意図されない。
【００９７】
[00101]  先の説明は、当業者に、本明細書で説明される様々な態様の実装を可能にするために提供される。これらの態様への様々な変更は、当業者対して容易に明らかになり、本明細書で定義される包括的な本質は他の態様に適用されうる。従って、特許請求の範囲は、本明細書で示される態様に限定されることは意図されておらず、しかし請求項の用語と一致する全ての範囲が与えられるべきであり、ここにおいて単数形のエレメントへの参照は特別にそのように記載されない限り「１つおよびただ１つ」を意味するように意図されず、むしろ「１つまたは複数の」を意味するように意図される。そうでないことが特に述べられていない限り、「いくつかの」という用語は、１つまたは複数のことを指している。当業者に対して既知である、あるいは後に既知となる本開示を通して説明された様々な態様のエレメントに対する全ての構造的および機能的に同じものは、参照によって本明細書に明示的に組み込まれ、特許請求の範囲によって包含されるよう意図される。さらに、本明細書で開示されたものはどれも、そのような開示が特許請求の範囲において明示的に記載されているかどうかに関わらず公共に寄与されるようには意図されていない。どの特許請求の範囲のエレメントも、エレメントが明確に「ための手段」という表現を使用して明確に記載されていない限り、ミーンズプラスファンクション（means plus function）として解釈されるべきではない。
【図１】
2015523837.tif 000004
【図２】
2015523837.tif 000005
【図３】
2015523837.tif 000006
【図４】
2015523837.tif 000007
【図５】
2015523837.tif 000008
【図６】
2015523837.tif 000009
【図７】
2015523837.tif 000010
【図８Ａ】
2015523837.tif 000011
【図８Ｂ】
2015523837.tif 000012
【図９】
2015523837.tif 000013
【図１０】
2015523837.tif 000014
【図１１】
2015523837.tif 000015
【図１２】
2015523837.tif 000016
【図１３】
2015523837.tif 000017
【図１４】
2015523837.tif 000018
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
マルチメディアブロードキャスト／マルチキャストサービス（ＭＢＭＳ）を提供する第１のセル内で動作している間に、隣接セルの存在を識別することと、
前記隣接セルを特徴付ける、ユーザ機器（ＵＥ）によって保持される情報に基づいて、前記隣接セルが前記第１のセル内で提供される前記ＭＢＭＳサービスとは異なるＭＢＭＳサービスを提供するか、同じＭＢＭＳサービスを提供するかを、前記ＵＥにおいて決定することと、
前記隣接セルを特徴付ける、前記ＵＥによって保持される情報に基づいて、前記隣接セルが会場内サービスを提供するか、ブーストされたユニキャストサービスを提供するかを、前記ＵＥにおいて決定することと、
前記ＵＥが前記第１のセル内でＭＢＭＳサービスを受信している時に、前記隣接セルが、前記会場内サービスあるいは前記第１のセル内で同様に提供されるブロードキャストまたはマルチキャストサービスを提供すると決定された場合、前記隣接セルに移動することと、
前記ＵＥが前記第１のセル内でブロードキャストまたはマルチキャストサービスを受信している時に、前記隣接セルが、前記ブーストされたユニキャストサービスあるいは前記第１のセル内で提供されるものとは異なるブロードキャストまたはマルチキャストサービスを提供すると決定された場合、前記隣接セルに移動することと、
を備える、方法。
【請求項２】
前記第１のセルは、マクロセルおよび１つまたは複数のスモールセルを含む異種ネットワークを備える、請求項１に記載の方法。
【請求項３】
少なくとも前記隣接セルは、前記１つまたは複数のスモールセルに含まれる、請求項２に記載の方法。
【請求項４】
前記ＵＥが前記第１のセル内で動作している間に、システム情報ブロック（ＳＩＢ）を受信することをさらに備え、ここで、前記ＳＩＢは、１つまたは複数のセルに関連付けられたサービスエリアアイデンティティ（ＳＡＩ）を含む、請求項１に記載の方法。
【請求項５】
前記ＳＩＢは、前記隣接セルの物理セルアイデンティティ（ＰＣＩ）を含み、前記ＵＥは、前記隣接セルが、前記ＰＣＩに基づいて、会場内サービスを提供するか、ブーストされたユニキャストサービスを提供するかを決定する、
請求項４に記載の方法。
【請求項６】
前記ＰＣＩは、会場内サービスを提供するセルのためにネットワークオペレータによって確保された第１の複数のＰＣＩのうちの１つであるか、またはブーストされたユニキャストサービスを提供するセルによって使用される第２の複数のＰＣＩのうちの１つである、請求項５に記載の方法。
【請求項７】
前記ＰＣＩは、会場内サービスを提供するセルのために確保される複数の予め定義されたＰＣＩのうちの１つである、請求項５に記載の方法。
【請求項８】
前記ＳＩＢは、前記隣接セルに関連付けられたＰＣＩに前記ＳＡＩをマッピングする情報を備える、請求項４に記載の方法。
【請求項９】
前記隣接セルに関連付けられた前記ＰＣＩに前記ＳＡＩをマッピングする前記情報は、前記隣接セルの特徴に基づいて生成される、請求項８に記載の方法。
【請求項１０】
前記隣接セルに関連付けられた前記ＰＣＩに前記ＳＡＩをマッピングする前記情報は、前記隣接セルによって報告された前記隣接セルの特徴に基づいて、ネットワークエンティティによって提供される、請求項８に記載の方法。
【請求項１１】
前記隣接セルに関連付けられた前記ＰＣＩに前記ＳＡＩをマッピングする前記情報は、前記第１のセルの基地局によって提供される、請求項８に記載の方法。
【請求項１２】
前記ＳＩＢは、前記第１のセルに関連付けられた周波数、前記隣接セルに関連付けられた周波数、および少なくとも１つのＳＡＩを識別する情報を備える、請求項４に記載の方法。
【請求項１３】
前記ＳＩＢは、前記隣接セルのＳＡＩを識別し、前記隣接セルの前記ＳＡＩは、会場内サービスに対応する、請求項１２に記載の方法。
【請求項１４】
前記第１のセルが前記会場内サービスを提供しない時に、前記隣接セルが前記会場内サービスを提供すると決定された場合、前記隣接セルに移動することをさらに備える、請求項１に記載の方法。
【請求項１５】
前記第１のセルが前記会場内サービスを提供しない時に、前記隣接セルに移動することは、
ネットワークオペレータまたはユーザの予め定義された好みに基づいて、前記会場内サービスを選択するかどうかを決定することと、
前記ＵＥが前記会場内サービスを選択した場合に、前記隣接セルに移動すること
を含む、請求項１４に記載の方法。
【請求項１６】
前記ＵＥが会場内サービスを選択した場合、前記第１のセル内で利用可能な全国向けのサービスを終了させることをさらに備える、請求項１５に記載の方法。
【請求項１７】
前記隣接セルが、前記第１のセル内で提供される前記ＭＢＭＳサービスとは異なる前記ＭＢＭＳサービスを提供すると決定された場合、前記隣接セルに移動することをさらに備える、請求項１に記載の方法。
【請求項１８】
前記隣接セルが、前記第１のセル内で提供される前記ＭＢＭＳサービスとは異なる前記ＭＢＭＳサービスを提供すると決定された場合、前記隣接セルに移動することは、
ネットワークオペレータまたはユーザの予め定義された好みに基づいて、前記ＭＢＭＳサービスを選択するかどうかを決定することと、
前記ＵＥが前記ＭＢＭＳサービスを選択した場合に、前記隣接セルに移動すること
を含む、請求項１７に記載の方法。
【請求項１９】
前記ＵＥが、前記第１のセル内で提供される前記ＭＢＭＳサービスとは異なる、前記隣接セルによって提供されるＭＢＭＳサービスを選択した場合、前記第１のセル内で利用可能なサービスを終了させることをさらに備える、請求項１８に記載の方法。
【請求項２０】
ワイヤレス通信のための装置であって、
マルチメディアブロードキャスト／マルチキャストサービス（ＭＢＭＳ）を提供する第１のセル内で動作している間に、隣接セルの存在を識別するための手段と、
前記隣接セルを特徴付ける、ユーザ機器（ＵＥ）によって保持される情報に基づいて、前記隣接セルが前記第１のセル内で提供される前記ＭＢＭＳサービスとは異なるＭＢＭＳサービスを提供するか、同じＭＢＭＳサービスを提供するかを、前記ＵＥにおいて決定するための手段と、
前記隣接セルを特徴付ける、前記ＵＥによって保持される情報に基づいて、前記隣接セルが会場内サービスを提供するか、ブーストされたユニキャストサービスを提供するかを、前記ＵＥにおいて決定するための手段と、
前記隣接セルに移動するための手段と、
を備え、
前記ＵＥが前記第１のセル内でＭＢＭＳサービスを受信しており、前記隣接セルが前記会場内サービスあるいは前記第１のセル内で同様に提供されるブロードキャストまたはマルチキャストサービスを提供すると決定された場合、前記ＵＥは、前記隣接セルに移動させられ、前記ＵＥが前記第１のセル内でブロードキャストまたはマルチキャストサービスを受信しており、前記隣接セルが、前記ブーストされたユニキャストサービスあるいは前記第１のセル内で提供されるものとは異なるブロードキャストまたはマルチキャストサービスを提供すると決定された場合、前記ＵＥは、前記隣接セルに移動させられる、装置。
【請求項２１】
前記第１のセルは、マクロセルおよび１つまたは複数のスモールセルを含む異種ネットワークを備える、請求項２０に記載の装置。
【請求項２２】
少なくとも前記隣接セルは、前記１つまたは複数のスモールセルに含まれる、請求項２１に記載の装置。
【請求項２３】
前記ＵＥが前記第１のセル内で動作している間に、システム情報ブロック（ＳＩＢ）を受信するための手段をさらに備え、ここで、前記ＳＩＢは、１つまたは複数のセルに関連付けられたサービスエリアアイデンティティ（ＳＡＩ）を含む、請求項２０に記載の装置。
【請求項２４】
前記ＳＩＢは、前記隣接セルの物理セルアイデンティティ（ＰＣＩ）を含み、前記ＵＥは、前記隣接セルが、前記ＰＣＩに基づいて、会場内サービスを提供するか、ブーストされたユニキャストサービスを提供するかを決定する、請求項２３に記載の装置。
【請求項２５】
前記ＰＣＩは、会場内サービスを提供するセルのためにネットワークオペレータによって確保された第１の複数のＰＣＩのうちの１つであるか、またはブーストされたユニキャストサービスを提供するセルによって使用される第２の複数のＰＣＩのうちの１つである、請求項２４に記載の装置。
【請求項２６】
前記ＰＣＩは、会場内サービスを提供するセルのために確保される複数の予め定義されたＰＣＩのうちの１つである、請求項２４に記載の装置。
【請求項２７】
前記ＳＩＢは、前記隣接セルに関連付けられたＰＣＩに前記ＳＡＩをマッピングする情報を備える、請求項２３に記載の装置。
【請求項２８】
前記隣接セルに関連付けられた前記ＰＣＩに前記ＳＡＩをマッピングする前記情報は、前記隣接セルの特徴に基づいて生成される、請求項２７に記載の装置。
【請求項２９】
前記隣接セルに関連付けられた前記ＰＣＩに前記ＳＡＩをマッピングする前記情報は、前記隣接セルによって報告された前記隣接セルの特徴に基づいて、ネットワークエンティティによって提供される、請求項２７に記載の装置。
【請求項３０】
前記隣接セルに関連付けられた前記ＰＣＩに前記ＳＡＩをマッピングする前記情報は、前記第１のセルの基地局によって提供される、請求項２７に記載の装置。
【請求項３１】
前記ＳＩＢは、前記第１のセルに関連付けられた周波数、前記隣接セルに関連付けられた周波数、および少なくとも１つのＳＡＩを識別する情報を備える、請求項２３に記載の装置。
【請求項３２】
前記ＳＩＢは、前記隣接セルのＳＡＩを識別し、前記隣接セルの前記ＳＡＩは、会場内サービスに対応する、請求項３１に記載の装置。
【請求項３３】
前記第１のセルが前記会場内サービスを提供しない時に、前記隣接セルが前記会場内サービスを提供すると決定された場合、前記隣接セルに移動するための前記手段は、前記ＵＥを前記隣接セルに移動させる、請求項２０に記載の装置。
【請求項３４】
前記隣接セルに移動するための前記手段は、ネットワークオペレータまたはユーザの予め定義された好みに基づいて、前記会場内サービスを選択するかどうかを決定し、前記ＵＥが前記会場内サービスを選択した場合に前記隣接セルに移動する、請求項３３に記載の装置。
【請求項３５】
前記隣接セルに移動するための前記手段は、前記ＵＥが会場内サービスを選択した場合、前記第１のセル内で利用可能な全国向けのサービスを終了させる、請求項３４に記載の装置。
【請求項３６】
前記隣接セルに移動するための前記手段は、前記隣接セルが、前記第１のセル内で提供される前記ＭＢＭＳサービスとは異なる前記ＭＢＭＳサービスを提供すると決定された場合、前記ＵＥを前記隣接セルに移動させる、請求項２０に記載の装置。
【請求項３７】
前記隣接セルに移動するための前記手段は、ネットワークオペレータまたはユーザの予め定義された好みに基づいて、前記ＭＢＭＳサービスを選択するかどうかを決定し、前記ＵＥが前記ＭＢＭＳサービスを選択した場合に前記隣接セルに移動する、請求項３６に記載の装置。
【請求項３８】
前記隣接セルに移動するための前記手段は、前記ＵＥが、前記第１のセル内で提供される前記ＭＢＭＳサービスとは異なる前記ＭＢＭＳサービスを選択した場合に、前記第１のセル内で利用可能な全国向けのサービスを終了させる、請求項３７に記載の装置。
【請求項３９】
ワイヤレス通信のための装置であって、
マルチメディアブロードキャスト／マルチキャストサービス（ＭＢＭＳ）を提供する第１のセル内で動作している間に、隣接セルの存在を識別し、
前記隣接セルを特徴付ける、ユーザ機器（ＵＥ）によって保持される情報に基づいて、前記隣接セルが前記第１のセル内で提供される前記ＭＢＭＳサービスとは異なるＭＢＭＳサービスを提供するか、同じＭＢＭＳサービスを提供するかを、前記ＵＥにおいて決定し、
前記隣接セルを特徴付ける、前記ＵＥによって保持される情報に基づいて、前記隣接セルが会場内サービスを提供するか、ブーストされたユニキャストサービスを提供するかを、前記ＵＥにおいて決定し、
前記ＵＥが前記第１のセル内でＭＢＭＳサービスを受信している時に、前記隣接セルが前記会場内サービスあるいは前記第１のセル内で同様に提供されるブロードキャストまたはマルチキャストサービスを提供すると決定された場合、前記ＵＥを前記隣接セルに移動させ、
前記ＵＥが前記第１のセル内でブロードキャストまたはマルチキャストサービスを受信している時に、前記隣接セルが、前記ブーストされたユニキャストサービスあるいは前記第１のセル内で提供されるものとは異なるブロードキャストまたはマルチキャストサービスを提供すると決定された場合、前記ＵＥを前記隣接セルに移動させる
ように構成される、処理システム
を備える、装置。
【請求項４０】
コンピュータ読み取り可能な媒体を備えるコンピュータプログラム製品であって、前記コンピュータ読み取り可能な媒体は、
マルチメディアブロードキャスト／マルチキャストサービス（ＭＢＭＳ）を提供する第１のセル内で動作している間に、隣接セルの存在を識別し、
前記隣接セルを特徴付ける、ユーザ機器（ＵＥ）によって保持される情報に基づいて、前記隣接セルが前記第１のセル内で提供される前記ＭＢＭＳサービスとは異なるＭＢＭＳサービスを提供するか、同じＭＢＭＳサービスを提供するかを、前記ＵＥにおいて決定し、
前記隣接セルを特徴付ける、前記ＵＥによって保持される情報に基づいて、前記隣接セルが会場内サービスを提供するか、ブーストされたユニキャストサービスを提供するかを、前記ＵＥにおいて決定し、
前記ＵＥが前記第１のセル内でＭＢＭＳサービスを受信している時に、前記隣接セルが前記会場内サービスあるいは前記第１のセル内で同様に提供されるブロードキャストまたはマルチキャストサービスを提供すると決定された場合、前記隣接セルに移動し、
前記ＵＥが前記第１のセル内でブロードキャストまたはマルチキャストサービスを受信している時に、前記隣接セルが、前記ブーストされたユニキャストサービスあるいは前記第１のセル内で提供されるものとは異なるブロードキャストまたはマルチキャストサービスを提供すると決定された場合、前記隣接セルに移動する
ためのコードを備える、コンピュータプログラム製品。
【請求項４１】
ワイヤレス通信の方法であって、
ユーザ機器（ＵＥ）が、マルチメディアブロードキャスト／マルチキャストサービス（ＭＢＭＳ）を提供する第１のセル内で動作している間に、隣接セルの存在を識別することと、
前記隣接セルから受信された物理セル識別子（ＰＣＩ）、および前記第１のセルからのシステム情報ブロック（ＳＩＢ）において受信された前記ＰＣＩに関連する情報に基づいて、前記隣接セルによって提供される１つまたは複数のサービスを識別することと、
１つまたは複数の基準に基づいて、前記ＵＥを前記隣接セルに移動させるどうかを決定すること
を備える、方法。
【請求項４２】
前記ＰＣＩに関連する前記情報は、複数の隣接セルに対応するＰＣＩと、前記ＭＢＭＳの１つまたは複数のサービスエリアアイデンティティ（ＳＡＩ）との間のマッピングを備える、請求項４１に記載の方法。
【請求項４３】
前記隣接セルが、前記第１のセル内で提供される前記ＭＢＭＳサービスとは異なるＭＢＭＳサービスを提供するか、同じＭＢＭＳサービスを提供するかに基づいて、前記ＵＥは、前記隣接セルに移動させられる、請求項４２に記載の方法。
【請求項４４】
前記隣接セルが、ブーストされたユニキャストサービスを提供すると決定された場合、前記ＵＥは、前記隣接セルに移動させられる、請求項４２に記載の方法。
【請求項４５】
前記隣接セルが、前記第１のセル内で提供されるブロードキャストとは異なるブロードキャストを提供すると決定された場合、前記ＵＥは、前記隣接セルに移動させられる、請求項４２に記載の方法。
【請求項４６】
前記隣接セルが、前記第１のセル内で提供されるマルチキャストサービスとは異なるマルチキャストサービスを提供すると決定された場合、前記ＵＥは、前記隣接セルに移動させられる、請求項４２に記載の方法。
【請求項４７】
ワイヤレス通信のための装置であって、
ユーザ機器（ＵＥ）が、マルチメディアブロードキャスト／マルチキャストサービス（ＭＢＭＳ）を提供する第１のセル内で動作している間に、隣接セルの存在を識別することと、
前記隣接セルから受信された物理セル識別子（ＰＣＩ）、および前記第１のセルからのシステム情報ブロック（ＳＩＢ）において受信された前記ＰＣＩに関連する情報に基づいて、前記隣接セルによって提供される１つまたは複数のサービスを識別することと、
１つまたは複数の基準に基づいて、前記ＵＥを前記隣接セルに移動させるかどうかを決定すること
を備える、装置。
【請求項４８】
前記ＰＣＩに関連する前記情報は、複数の隣接セルに対応するＰＣＩと、前記ＭＢＭＳの１つまたは複数のサービスエリアアイデンティティ（ＳＡＩ）との間のマッピングを備える、請求項４７に記載の装置。
【請求項４９】
前記隣接セルが、前記第１のセル内で提供される前記ＭＢＭＳサービスとは異なるＭＢＭＳサービスを提供するか、同じＭＢＭＳサービスを提供するかに基づいて、前記ＵＥは、前記隣接セルに移動させられる、請求項４８に記載の装置。
【請求項５０】
前記隣接セルが、ブーストされたユニキャストサービスを提供すると決定された場合、前記ＵＥは、前記隣接セルに移動させられる、請求項４９に記載の装置。
【請求項５１】
前記隣接セルが、前記第１のセル内で提供されるブロードキャストとは異なるブロードキャストを提供すると決定された場合、前記ＵＥは、前記隣接セルに移動させられる、請求項４９に記載の装置。
【請求項５２】
前記隣接セルが、前記第１のセル内で提供されるマルチキャストサービスとは異なるマルチキャストサービスを提供すると決定された場合、前記ＵＥは、前記隣接セルに移動させられる、請求項４９に記載の装置。
【請求項５３】
処理システムを備える、ワイヤレス通信のための装置であって、
前記処理システムは、
ユーザ機器（ＵＥ）が、マルチメディアブロードキャスト／マルチキャストサービス（ＭＢＭＳ）を提供する第１のセル内で動作している間に、隣接セルの存在を識別し、
前記隣接セルから受信された物理セル識別子（ＰＣＩ）、および前記第１のセルからのシステム情報ブロック（ＳＩＢ）において受信された前記ＰＣＩに関連する情報に基づいて、前記隣接セルによって提供される１つまたは複数のサービスを識別し、
１つまたは複数の基準に基づいて、前記ＵＥを前記隣接セルに移動させるかどうかを決定する
ように構成される、装置。
【請求項５４】
コンピュータ読み取り可能な媒体を備えるコンピュータプログラム製品であって、
前記コンピュータ読み取り可能な媒体は、
ユーザ機器（ＵＥ）が、マルチメディアブロードキャスト／マルチキャストサービス（ＭＢＭＳ）を提供する第１のセル内で動作している間に、隣接セルの存在を識別し、
前記隣接セルから受信された物理セル識別子（ＰＣＩ）、および前記第１のセルからのシステム情報ブロック（ＳＩＢ）において受信された前記ＰＣＩに関連する情報に基づいて、前記隣接セルによって提供される１つまたは複数のサービスを識別し、
１つまたは複数の基準に基づいて、前記ＵＥを前記隣接セルに移動させるかどうかを決定する
ためのコードを備える、コンピュータプログラム製品。
【手続補正２】
【補正対象書類名】明細書
【補正対象項目名】００６２
【補正方法】変更
【補正の内容】
【００６２】
[0072]  本明細書で説明されるいくつかの実施形態は、マクロセル１１０４から、スモールセル１１０６または１１０８に移動している場合に、ＵＥ １１０２が第１のスモールセル１１０６または第２のスモールセル１１０８に入っているかどうかを、ＵＥ１１０２が、見分けることを可能にしうる。従って、ＵＥ １１０２がＳＡＩ ０において提供されたＭＢＭＳサービスの受信を伴うマクロセル１１０４のカバレッジ内にある場合、例えば、Ｆ１がＭＢＭＳサービスを提供しないため、ＵＥ １１０２がマクロセル１１０４のｅＮＢから十分な信号強度を受信しうる限り、第１のスモールセル１１０６に近づいているＵＥ １１０２は、Ｆ１に切り替えないことを選びうる。ＵＥ １１０２が、ＳＡＩ ０において提供されるＭＢＭＳサービスの受信を伴うマクロセル１１０４カバレッジ内にある時に、それが第２のスモールセル１１０８に移動している場合、ＵＥ １１０２は、第２のスモールセル１１０８がＵＥ １１０２のユーザにＳＡＩ １の下で提供する、ＭＢＭＳサービスを指示しうる。ＵＥ １１０２は、現在のＭＢＭＳサービスを受信するのを継続することと、現在のＭＢＭＳサービスの受信を終了するのを選択することのいずれを選択するべきか、また、例えば会場内サービスなどを含みうる第２のスモールセル１１０６によって提供されるサービスを選ぶべきかどうかを指示する入力を、前もって構成されうるか、受信しうる。
【手続補正３】
【補正対象書類名】明細書
【補正対象項目名】００６３
【補正方法】変更
【補正の内容】
【００６３】
[0073]  特定の実施形態では、ＵＥは、会場内またはブーストされたエリアのサービスが、近くで利用可能であるかどうかを決定するために、一次同期化信号（ＰＳＳ：primary synchronization signal）において、および二次同期化信号（ＳＳＳ：secondary synchronization signal ）において受信される物理セルＩＤ（ＰＣＩ）情報を使用しうる。このような決定は、アイドル状態および接続状態の両方でなされうる。ＰＳＳは、セルのインデックスを提供し、それは、ＳＳＳが、０と１６７の間の範囲でありうるセルのグループＩＤを提供する間に、３つの値（０、１、２）のうちの１つを有しうる。したがって、合計５０４（１６８＊３）のＰＣＩが利用可能でありうる。
【手続補正４】
【補正対象書類名】明細書
【補正対象項目名】００９７
【補正方法】変更
【補正の内容】
【００９７】
［00101]  先の説明は、当業者に、本明細書で説明される様々な態様の実装を可能にするために提供される。これらの態様への様々な変更は、当業者対して容易に明らかになり、本明細書で定義される包括的な本質は他の態様に適用されうる。従って、特許請求の範囲は、本明細書で示される態様に限定されることは意図されておらず、しかし請求項の用語と一致する全ての範囲が与えられるべきであり、ここにおいて単数形のエレメントへの参照は特別にそのように記載されない限り「１つおよびただ１つ」を意味するように意図されず、むしろ「１つまたは複数の」を意味するように意図される。そうでないことが特に述べられていない限り、「いくつかの」という用語は、１つまたは複数のことを指している。当業者に対して既知である、あるいは後に既知となる本開示を通して説明された様々な態様のエレメントに対する全ての構造的および機能的に同じものは、参照によって本明細書に明示的に組み込まれ、特許請求の範囲によって包含されるよう意図される。さらに、本明細書で開示されたものはどれも、そのような開示が特許請求の範囲において明示的に記載されているかどうかに関わらず公共に寄与されるようには意図されていない。どの特許請求の範囲のエレメントも、エレメントが明確に「ための手段」という表現を使用して明確に記載されていない限り、ミーンズプラスファンクション（means plus function）として解釈されるべきではない。
以下に、本願出願の当初の特許請求の範囲に記載された発明を付記する。
［Ｃ１］ワイヤレス通信の方法であって、
マルチメディアブロードキャスト／マルチキャストサービス（ＭＢＭＳ）を提供する第１のセル内で動作している間に、隣接セルの存在を識別することと、
前記隣接セルを特徴付ける、ユーザ機器（ＵＥ）によって保持される情報に基づいて、前記隣接セルが前記第１のセル内で提供される前記ＭＢＭＳサービスとは異なるＭＢＭＳサービスを提供するか、同じＭＢＭＳサービスを提供するかを、前記ＵＥにおいて決定することと、
前記隣接セルを特徴付ける、前記ＵＥによって保持される情報に基づいて、前記隣接セルが会場内サービスを提供するか、ブーストされたユニキャストサービスを提供するかを、前記ＵＥにおいて決定することと、
前記ＵＥが前記第１のセル内でＭＢＭＳサービスを受信している時に、前記隣接セルが、前記会場内サービスあるいは前記第１のセル内で同様に提供されるブロードキャストまたはマルチキャストサービスを提供すると決定された場合、前記隣接セルに移動することと、
前記ＵＥが前記第１のセル内でブロードキャストまたはマルチキャストサービスを受信している時に、前記隣接セルが、前記ブーストされたユニキャストサービスあるいは前記第１のセル内で提供されるものとは異なるブロードキャストまたはマルチキャストサービスを提供すると決定された場合、前記隣接セルに移動することと、
を備える、方法。
［Ｃ２］前記第１のセルは、マクロセルおよび１つまたは複数のスモールセルを含む異種ネットワークを備える、［Ｃ１］に記載の方法。
［Ｃ３］少なくとも前記隣接セルは、前記１つまたは複数のスモールセルに含まれる、［Ｃ２］に記載の方法。
［Ｃ４］前記ＵＥが前記第１のセル内で動作している間に、システム情報ブロック（ＳＩＢ）を受信することをさらに備え、ここで、前記ＳＩＢは、１つまたは複数のセルに関連付けられたサービスエリアアイデンティティ（ＳＡＩ）を含む、［Ｃ１］に記載の方法。
［Ｃ５］前記ＳＩＢは、前記隣接セルの物理セルアイデンティティ（ＰＣＩ）を含み、前記ＵＥは、前記隣接セルが、前記ＰＣＩに基づいて、会場内サービスを提供するか、ブーストされたユニキャストサービスを提供するかを決定する、［Ｃ４］に記載の方法。
［Ｃ６］前記ＰＣＩは、会場内サービスを提供するセルのためにネットワークオペレータによって確保された第１の複数のＰＣＩのうちの１つであるか、またはブーストされたユニキャストサービスを提供するセルによって使用される第２の複数のＰＣＩのうちの１つである、［Ｃ５］に記載の方法。
［Ｃ７］前記ＰＣＩは、会場内サービスを提供するセルのために確保される複数の予め定義されたＰＣＩのうちの１つである、［Ｃ５］に記載の方法。
［Ｃ８］前記ＳＩＢは、前記隣接セルに関連付けられたＰＣＩに前記ＳＡＩをマッピングする情報を備える、［Ｃ４］に記載の方法。
［Ｃ９］前記隣接セルに関連付けられた前記ＰＣＩに前記ＳＡＩをマッピングする前記情報は、前記隣接セルの特徴に基づいて生成される、［Ｃ８］に記載の方法。
［Ｃ１０］前記隣接セルに関連付けられた前記ＰＣＩに前記ＳＡＩをマッピングする前記情報は、前記隣接セルによって報告された前記隣接セルの特徴に基づいて、ネットワークエンティティによって提供される、［Ｃ８］に記載の方法。
［Ｃ１１］前記隣接セルに関連付けられた前記ＰＣＩに前記ＳＡＩをマッピングする前記情報は、前記第１のセルの基地局によって提供される、［Ｃ８］に記載の方法。
［Ｃ１２］前記ＳＩＢは、前記第１のセルに関連付けられた周波数、前記隣接セルに関連付けられた周波数、および少なくとも１つのＳＡＩを識別する情報を備える、［Ｃ４］に記載の方法。
［Ｃ１３］前記ＳＩＢは、前記隣接セルのＳＡＩを識別し、前記隣接セルの前記ＳＡＩは、会場内サービスに対応する、［Ｃ１２］に記載の方法。
［Ｃ１４］前記第１のセルが前記会場内サービスを提供しない時に、前記隣接セルが前記会場内サービスを提供すると決定された場合、前記隣接セルに移動することをさらに備える、［Ｃ１］に記載の方法。
［Ｃ１５］前記第１のセルが前記会場内サービスを提供しない時に、前記隣接セルに移動することは、
ネットワークオペレータまたはユーザの予め定義された好みに基づいて、前記会場内サービスを選択するかどうかを決定することと、
前記ＵＥが前記会場内サービスを選択した場合に、前記隣接セルに移動すること
を含む、［Ｃ１４］に記載の方法。
［Ｃ１６］前記ＵＥが会場内サービスを選択した場合、前記第１のセル内で利用可能な全国向けのサービスを終了させることをさらに備える、［Ｃ１５］に記載の方法。
［Ｃ１７］前記隣接セルが、前記第１のセル内で提供される前記ＭＢＭＳサービスとは異なる前記ＭＢＭＳサービスを提供すると決定された場合、前記隣接セルに移動することをさらに備える、［Ｃ１］に記載の方法。
［Ｃ１８］前記隣接セルが、前記第１のセル内で提供される前記ＭＢＭＳサービスとは異なる前記ＭＢＭＳサービスを提供すると決定された場合、前記隣接セルに移動することは、
ネットワークオペレータまたはユーザの予め定義された好みに基づいて、前記ＭＢＭＳサービスを選択するかどうかを決定することと、
前記ＵＥが前記ＭＢＭＳサービスを選択した場合に、前記隣接セルに移動すること
を含む、［Ｃ１７］に記載の方法。
［Ｃ１９］前記ＵＥが、前記第１のセル内で提供される前記ＭＢＭＳサービスとは異なる、前記隣接セルによって提供されるＭＢＭＳサービスを選択した場合、前記第１のセル内で利用可能なサービスを終了させることをさらに備える、［Ｃ１８］に記載の方法。
［Ｃ２０］ワイヤレス通信のための装置であって、
マルチメディアブロードキャスト／マルチキャストサービス（ＭＢＭＳ）を提供する第１のセル内で動作している間に、隣接セルの存在を識別するための手段と、
前記隣接セルを特徴付ける、ユーザ機器（ＵＥ）によって保持される情報に基づいて、前記隣接セルが前記第１のセル内で提供される前記ＭＢＭＳサービスとは異なるＭＢＭＳサービスを提供するか、同じＭＢＭＳサービスを提供するかを、前記ＵＥにおいて決定するための手段と、
前記隣接セルを特徴付ける、前記ＵＥによって保持される情報に基づいて、前記隣接セルが会場内サービスを提供するか、ブーストされたユニキャストサービスを提供するかを、前記ＵＥにおいて決定するための手段と、
前記隣接セルに移動するための手段と、
を備え、
前記ＵＥが前記第１のセル内でＭＢＭＳサービスを受信しており、前記隣接セルが前記会場内サービスあるいは前記第１のセル内で同様に提供されるブロードキャストまたはマルチキャストサービスを提供すると決定された場合、前記ＵＥは、前記隣接セルに移動させられ、前記ＵＥが前記第１のセル内でブロードキャストまたはマルチキャストサービスを受信しており、前記隣接セルが、前記ブーストされたユニキャストサービスあるいは前記第１のセル内で提供されるものとは異なるブロードキャストまたはマルチキャストサービスを提供すると決定された場合、前記ＵＥは、前記隣接セルに移動させられる、装置。
［Ｃ２１］前記第１のセルは、マクロセルおよび１つまたは複数のスモールセルを含む異種ネットワークを備える、［Ｃ２０］に記載の装置。
［Ｃ２２］少なくとも前記隣接セルは、前記１つまたは複数のスモールセルに含まれる、［Ｃ２１］に記載の装置。
［Ｃ２３］前記ＵＥが前記第１のセル内で動作している間に、システム情報ブロック（ＳＩＢ）を受信するための手段をさらに備え、ここで、前記ＳＩＢは、１つまたは複数のセルに関連付けられたサービスエリアアイデンティティ（ＳＡＩ）を含む、［Ｃ２０］に記載の装置。
［Ｃ２４］前記ＳＩＢは、前記隣接セルの物理セルアイデンティティ（ＰＣＩ）を含み、前記ＵＥは、前記隣接セルが、前記ＰＣＩに基づいて、会場内サービスを提供するか、ブーストされたユニキャストサービスを提供するかを決定する、［Ｃ２３］に記載の装置。
［Ｃ２５］前記ＰＣＩは、会場内サービスを提供するセルのためにネットワークオペレータによって確保された第１の複数のＰＣＩのうちの１つであるか、またはブーストされたユニキャストサービスを提供するセルによって使用される第２の複数のＰＣＩのうちの１つである、［Ｃ２４］に記載の装置。
［Ｃ２６］前記ＰＣＩは、会場内サービスを提供するセルのために確保される複数の予め定義されたＰＣＩのうちの１つである、［Ｃ２４］に記載の装置。
［Ｃ２７］前記ＳＩＢは、前記隣接セルに関連付けられたＰＣＩに前記ＳＡＩをマッピングする情報を備える、［Ｃ２３］に記載の装置。
［Ｃ２８］前記隣接セルに関連付けられた前記ＰＣＩに前記ＳＡＩをマッピングする前記情報は、前記隣接セルの特徴に基づいて生成される、［Ｃ２７］に記載の装置。
［Ｃ２９］前記隣接セルに関連付けられた前記ＰＣＩに前記ＳＡＩをマッピングする前記情報は、前記隣接セルによって報告された前記隣接セルの特徴に基づいて、ネットワークエンティティによって提供される、［Ｃ２７］に記載の装置。
［Ｃ３０］前記隣接セルに関連付けられた前記ＰＣＩに前記ＳＡＩをマッピングする前記情報は、前記第１のセルの基地局によって提供される、［Ｃ２７］に記載の装置。
［Ｃ３１］前記ＳＩＢは、前記第１のセルに関連付けられた周波数、前記隣接セルに関連付けられた周波数、および少なくとも１つのＳＡＩを識別する情報を備える、［Ｃ２３］に記載の装置。
［Ｃ３２］前記ＳＩＢは、前記隣接セルのＳＡＩを識別し、前記隣接セルの前記ＳＡＩは、会場内サービスに対応する、［Ｃ３１］に記載の装置。
［Ｃ３３］前記第１のセルが前記会場内サービスを提供しない時に、前記隣接セルが前記会場内サービスを提供すると決定された場合、前記隣接セルに移動するための前記手段は、前記ＵＥを前記隣接セルに移動させる、［Ｃ２０］に記載の装置。
［Ｃ３４］前記隣接セルに移動するための前記手段は、ネットワークオペレータまたはユーザの予め定義された好みに基づいて、前記会場内サービスを選択するかどうかを決定し、前記ＵＥが前記会場内サービスを選択した場合に前記隣接セルに移動する、［Ｃ３３］に記載の装置。
［Ｃ３５］前記隣接セルに移動するための前記手段は、前記ＵＥが会場内サービスを選択した場合、前記第１のセル内で利用可能な全国向けのサービスを終了させる、［Ｃ３４］に記載の装置。
［Ｃ３６］前記隣接セルに移動するための前記手段は、前記隣接セルが、前記第１のセル内で提供される前記ＭＢＭＳサービスとは異なる前記ＭＢＭＳサービスを提供すると決定された場合、前記ＵＥを前記隣接セルに移動させる、［Ｃ２０］に記載の装置。
［Ｃ３７］前記隣接セルに移動するための前記手段は、ネットワークオペレータまたはユーザの予め定義された好みに基づいて、前記ＭＢＭＳサービスを選択するかどうかを決定し、前記ＵＥが前記ＭＢＭＳサービスを選択した場合に前記隣接セルに移動する、［Ｃ３６］に記載の装置。
［Ｃ３８］前記隣接セルに移動するための前記手段は、前記ＵＥが、前記第１のセル内で提供される前記ＭＢＭＳサービスとは異なる前記ＭＢＭＳサービスを選択した場合に、前記第１のセル内で利用可能な全国向けのサービスを終了させる、［Ｃ３７］に記載の装置。
［Ｃ３９］ワイヤレス通信のための装置であって、
マルチメディアブロードキャスト／マルチキャストサービス（ＭＢＭＳ）を提供する第１のセル内で動作している間に、隣接セルの存在を識別し、
前記隣接セルを特徴付ける、ユーザ機器（ＵＥ）によって保持される情報に基づいて、前記隣接セルが前記第１のセル内で提供される前記ＭＢＭＳサービスとは異なるＭＢＭＳサービスを提供するか、同じＭＢＭＳサービスを提供するかを、前記ＵＥにおいて決定し、
前記隣接セルを特徴付ける、前記ＵＥによって保持される情報に基づいて、前記隣接セルが会場内サービスを提供するか、ブーストされたユニキャストサービスを提供するかを、前記ＵＥにおいて決定し、
前記ＵＥが前記第１のセル内でＭＢＭＳサービスを受信している時に、前記隣接セルが前記会場内サービスあるいは前記第１のセル内で同様に提供されるブロードキャストまたはマルチキャストサービスを提供すると決定された場合、前記ＵＥを前記隣接セルに移動させ、
前記ＵＥが前記第１のセル内でブロードキャストまたはマルチキャストサービスを受信している時に、前記隣接セルが、前記ブーストされたユニキャストサービスあるいは前記第１のセル内で提供されるものとは異なるブロードキャストまたはマルチキャストサービスを提供すると決定された場合、前記ＵＥを前記隣接セルに移動させる
ように構成される、処理システム
を備える、装置。
［Ｃ４０］コンピュータ読み取り可能な媒体を備えるコンピュータプログラム製品であって、前記コンピュータ読み取り可能な媒体は、
マルチメディアブロードキャスト／マルチキャストサービス（ＭＢＭＳ）を提供する第１のセル内で動作している間に、隣接セルの存在を識別し、
前記隣接セルを特徴付ける、ユーザ機器（ＵＥ）によって保持される情報に基づいて、前記隣接セルが前記第１のセル内で提供される前記ＭＢＭＳサービスとは異なるＭＢＭＳサービスを提供するか、同じＭＢＭＳサービスを提供するかを、前記ＵＥにおいて決定し、
前記隣接セルを特徴付ける、前記ＵＥによって保持される情報に基づいて、前記隣接セルが会場内サービスを提供するか、ブーストされたユニキャストサービスを提供するかを、前記ＵＥにおいて決定し、
前記ＵＥが前記第１のセル内でＭＢＭＳサービスを受信している時に、前記隣接セルが前記会場内サービスあるいは前記第１のセル内で同様に提供されるブロードキャストまたはマルチキャストサービスを提供すると決定された場合、前記隣接セルに移動し、
前記ＵＥが前記第１のセル内でブロードキャストまたはマルチキャストサービスを受信している時に、前記隣接セルが、前記ブーストされたユニキャストサービスあるいは前記第１のセル内で提供されるものとは異なるブロードキャストまたはマルチキャストサービスを提供すると決定された場合、前記隣接セルに移動する
ためのコードを備える、コンピュータプログラム製品。
［Ｃ４１］ワイヤレス通信の方法であって、
ユーザ機器（ＵＥ）が、マルチメディアブロードキャスト／マルチキャストサービス（ＭＢＭＳ）を提供する第１のセル内で動作している間に、隣接セルの存在を識別することと、
前記隣接セルから受信された物理セル識別子（ＰＣＩ）、および前記第１のセルからのシステム情報ブロック（ＳＩＢ）において受信された前記ＰＣＩに関連する情報に基づいて、前記隣接セルによって提供される１つまたは複数のサービスを識別することと、
１つまたは複数の基準に基づいて、前記ＵＥを前記隣接セルに移動させるどうかを決定すること
を備える、方法。
［Ｃ４２］前記ＰＣＩに関連する前記情報は、複数の隣接セルに対応するＰＣＩと、前記ＭＢＭＳの１つまたは複数のサービスエリアアイデンティティ（ＳＡＩ）との間のマッピングを備える、［Ｃ４１］に記載の方法。
［Ｃ４３］前記隣接セルが、前記第１のセル内で提供される前記ＭＢＭＳサービスとは異なるＭＢＭＳサービスを提供するか、同じＭＢＭＳサービスを提供するかに基づいて、前記ＵＥは、前記隣接セルに移動させられる、［Ｃ４２］に記載の方法。
［Ｃ４３］前記隣接セルが、ブーストされたユニキャストサービスを提供すると決定された場合、前記ＵＥは、前記隣接セルに移動させられる、［Ｃ４２］に記載の方法。
［Ｃ４４］前記隣接セルが、前記第１のセル内で提供されるブロードキャストとは異なるブロードキャストを提供すると決定された場合、前記ＵＥは、前記隣接セルに移動させられる、［Ｃ４２］に記載の方法。
［Ｃ４５］前記隣接セルが、前記第１のセル内で提供されるマルチキャストサービスとは異なるマルチキャストサービスを提供すると決定された場合、前記ＵＥは、前記隣接セルに移動させられる、［Ｃ４２］に記載の方法。
［Ｃ４６］ワイヤレス通信のための装置であって、
ユーザ機器（ＵＥ）が、マルチメディアブロードキャスト／マルチキャストサービス（ＭＢＭＳ）を提供する第１のセル内で動作している間に、隣接セルの存在を識別することと、
前記隣接セルから受信された物理セル識別子（ＰＣＩ）、および前記第１のセルからのシステム情報ブロック（ＳＩＢ）において受信された前記ＰＣＩに関連する情報に基づいて、前記隣接セルによって提供される１つまたは複数のサービスを識別することと、
１つまたは複数の基準に基づいて、前記ＵＥを前記隣接セルに移動させるかどうかを決定すること
を備える、装置。
［Ｃ４７］前記ＰＣＩに関連する前記情報は、複数の隣接セルに対応するＰＣＩと、前記ＭＢＭＳの１つまたは複数のサービスエリアアイデンティティ（ＳＡＩ）との間のマッピングを備える、［Ｃ４８］に記載の装置。
［Ｃ４８］前記隣接セルが、前記第１のセル内で提供される前記ＭＢＭＳサービスとは異なるＭＢＭＳサービスを提供するか、同じＭＢＭＳサービスを提供するかに基づいて、前記ＵＥは、前記隣接セルに移動させられる、［Ｃ４８］に記載の装置。
［Ｃ４９］前記隣接セルが、ブーストされたユニキャストサービスを提供すると決定された場合、前記ＵＥは、前記隣接セルに移動させられる、［Ｃ４８］に記載の装置。
［Ｃ５０］前記隣接セルが、前記第１のセル内で提供されるブロードキャストとは異なるブロードキャストを提供すると決定された場合、前記ＵＥは、前記隣接セルに移動させられる、［Ｃ４８］に記載の装置。
［Ｃ５１］前記隣接セルが、前記第１のセル内で提供されるマルチキャストサービスとは異なるマルチキャストサービスを提供すると決定された場合、前記ＵＥは、前記隣接セルに移動させられる、［Ｃ４８］に記載の装置。
［Ｃ５２］処理システムを備える、ワイヤレス通信のための装置であって、
前記処理システムは、
ユーザ機器（ＵＥ）が、マルチメディアブロードキャスト／マルチキャストサービス（ＭＢＭＳ）を提供する第１のセル内で動作している間に、隣接セルの存在を識別し、
前記隣接セルから受信された物理セル識別子（ＰＣＩ）、および前記第１のセルからのシステム情報ブロック（ＳＩＢ）において受信された前記ＰＣＩに関連する情報に基づいて、前記隣接セルによって提供される１つまたは複数のサービスを識別し、
１つまたは複数の基準に基づいて、前記ＵＥを前記隣接セルに移動させるかどうかを決定する
ように構成される、装置。
［Ｃ５３］コンピュータ読み取り可能な媒体を備えるコンピュータプログラム製品であって、
前記コンピュータ読み取り可能な媒体は、
ユーザ機器（ＵＥ）が、マルチメディアブロードキャスト／マルチキャストサービス（ＭＢＭＳ）を提供する第１のセル内で動作している間に、隣接セルの存在を識別し、
前記隣接セルから受信された物理セル識別子（ＰＣＩ）、および前記第１のセルからのシステム情報ブロック（ＳＩＢ）において受信された前記ＰＣＩに関連する情報に基づいて、前記隣接セルによって提供される１つまたは複数のサービスを識別し、
１つまたは複数の基準に基づいて、前記ＵＥを前記隣接セルに移動させるかどうかを決定する
ためのコードを備える、コンピュータプログラム製品。
【国際調査報告】
2015523837.tif 000019
2015523837.tif 000020
2015523837.tif 000021